(57)【要約】家畜／食肉処理場作業で用いられる家畜銃は内方チャンバ内で摺動自在なピストンと、内方チャンバの後方または中央端部に隣接して配設された環状形状を有する発射圧力チャンバとを有する。スタニングロッドがピストンによって動物を失神させるように前方へそしてロッドを戻すように後方へ駆動される。ピストンを動かしてスタニングロッドを駆動するように発射加圧チャンバから内方チャンバの後方端部への加圧流体の流れをバルブシステムが交互に制御する。掛止部システムがスタニングロッドを保持および解放する。加圧流体供給が作業サイクル間にスタニングロッドを引き戻すように用いられる。トリガを用いるハンドルが家畜銃を保持しそしてバルブシステムを作動させるように作業者によって用いられ、家畜銃の作動中に衝撃を吸収するようにハンドルと家畜銃ハウジングとの間にクッションマウントシステムが取り付けられる。【選択図】図３
2019522484.tif 000002
【特許請求の範囲】
【請求項１】
先端部を有するハウジングと、
前方端部と後方端部とを有するハウジング内の内方チャンバと、
内方チャンバ内で摺動自在なピストンと、
ピストンによってハウジングの先端部に向かって並びにそこから離れる前方および後方へ駆動できるハウジング内のスタニングロッドと、
内方チャンバの後方端部と連結し、ピストンの後方に加圧流体を供給する、内方チャンバに隣接する第１加圧チャンバと、
内方チャンバの前方端部と連結し、ピストンの前方に加圧流体を供給し、第１加圧チャンバよりも小さな、内方チャンバに隣接する第２加圧チャンバと、
動物を失神させるためにピストンを移動させてスタニングロッドを前方へ駆動するように第１加圧チャンバから内方チャンバの後方端部へ、そしてピストンを移動させてスタニングロッドを後方へ駆動してスタニングロッドを引き戻すように第２加圧チャンバから内方チャンバの前方端部へ加圧流体の流れを交互に制御するバルブシステムと
を含む、動物を失神させるための家畜銃。
【請求項２】
第２加圧チャンバは内方チャンバの外方を取り囲む、請求項１に記載の家畜銃。
【請求項３】
第２加圧チャンバは環状円筒形形状である、請求項２に記載の家畜銃。
【請求項４】
スタニングロッドはハウジングの長手方向軸に沿って駆動され、そして、
バルブと可動バルブトリガとを有するハンドルと、
ハウジングとハンドルバルブとの間に圧縮空気を流すための少なくとも１つの通路を有し、固定された位置にハンドルを向けるようにハウジングに固定可能であり、トリガの動きが長手方向軸に直角な方向である、ハンドルとハウジングとの間のマウントと
をさらに含む、請求項１に記載の家畜銃。
【請求項５】
先端部を有するハウジングと、
前方端部と後方端部とを有するハウジング内の内方チャンバと、
内方チャンバ内で摺動自在なピストンと、
ピストンによりハウジングの先端部に向かって前方へそしてそこから離れて後方へ駆動できる、ハウジング内のスタニングロッドと、
内方チャンバの後方端部と連結し、内方チャンバの中央部分または後方端部に隣接して内方チャンパの外方を取り囲み、ピストンの後方に加圧流体を供給する、内方チャンバに隣接した第１加圧チャンバと、
内方チャンバの前方端部と連結し、ピストンの前方に加圧流体を供給し、内方チャンバの中央部分または前方端部に隣接して内方チャンパの外方を取り囲む、内方チャンバに隣接した第２加圧チャンバと、
ピストンを動かして動物を失神させるようにスタニングロッドを前方へ駆動するように第１加圧チャンバから内方チャンバの後方端部へ、そしてピストンを動かしてスタニングロッドを後方へ駆動してスタニングロッドを引き戻すように第２加圧チャンバから内方チャンバの前方端部へ加圧流体の流れを交互に制御するバルブシステムと
を含む、動物を失神させるための家畜銃。
【請求項６】
先端部を有するハウジングと、
前方端部と後方端部とを有するハウジング内の内方チャンバと、
内方チャンバ内で摺動自在なピストンと、
ピストンによりハウジングの先端部に向かって前方へそしてそこから離れて後方へ駆動できる、ハウジング内のスタニングロッドと、
内方チャンバの後方端部と連結し、ピストンの後方に加圧流体を供給する、内方チャンバに隣接した第１加圧チャンバと、
内方チャンバの前方端部と連結し、ピストンの前方に加圧流体を供給する、内方チャンバに隣接した第２加圧チャンバと、
ピストンを動かして動物を失神させるようにスタニングロッドを前方へ駆動するように第１加圧チャンバから内方チャンバの後方端部へ、そしてピストンを動かしてスタニングロッドを後方へ駆動してスタニングロッドを引き戻すように第２加圧チャンバから内方チャンバの前方端部へ加圧流体の流れを交互に制御するバルブシステムであって、該バルブシステムは複数の通路を有するバルブ本体を含み、バルブ本体はピストンを動かしてスタニングロッドを前方へ駆動するようにピストンの後方に加圧流体を供給する前に第１および第２加圧チャンバを加圧流体で満たすように加圧流体の流れを第１および第２加圧チャンバへへさらに制御することと
を含む、動物を失神させるための家畜銃。
【請求項７】
先端部を有するハウジングと、
前方端部と後方端部とを有するハウジング内の内方チャンバと、
内方チャンバ内で摺動自在なピストンと、
ピストンによりハウジングの先端部に向かって前方へそしてそこから離れて後方へ駆動できる、ハウジング内のスタニングロッドと、
内方チャンバの後方端部と連結し、ピストンの後方に加圧流体を供給する、内方チャンバに隣接した第１加圧チャンバと、
内方チャンバの前方端部と連結し、ピストンの前方に加圧流体を供給する、内方チャンバに隣接した第２加圧チャンバと、
ピストンを動かして動物を失神させるようにスタニングロッドを前方へ駆動するように第１加圧チャンバから内方チャンバの後方端部へ、そしてピストンを動かしてスタニングロッドを後方へ駆動してスタニングロッドを引き戻すように第２加圧チャンバから内方チャンバの前方端部へ加圧流体の流れを交互に制御するバルブシステムと、
バルブシステムのためのバルブトリガを有するハンドルと、
ハウジングに結合される第１部分と、ハンドルに結合される第２部分と第１および第２部分間に配設されるクッションとを有し、ピストンが移動してスタニングロッドが前方および後方に駆動されたときにハウジングからハンドルに伝達される振動および衝撃を吸収するように作用する、ハンドルとハウジングの間のマウントと
を含む、動物を失神させるための家畜銃。
【請求項８】
先端部を有するハウジングと、前方端部および後方端部を有するハウジング内の内方チャンバと、内方チャンバ内で摺動自在なピストンと、ハウジングの先端部に向かって前方へそしてそこから離れる後方へピストンによって駆動できる、ハウジング内のスタニングロッドと、内方チャンバの後方端部と連結する、内方チャンバに隣接した第１加圧チャンバと、内方チャンバの前方端部と連結する、内方チャンバに隣接した第２加圧チャンバと、第１加圧チャンバから内方チャンバの後方端部へ、そして第２加圧チャンバから内方チャンバの前方端部へ加圧流体の流れを交互に制御するためのバルブシステムとを有する家畜銃を用意することと、
加圧流体を第１加圧チャンバに供給することと、
第１加圧チャンバよりも少ない量の加圧流体を第２加圧チャンバに供給することと、
動物を失神させるようにピストンを動かしてスタニングロッドを前方へ駆動するように第１加圧チャンバから内方チャンバの後方端部へ加圧流体を供給することと、
ピストンを動かしてスタニングロッドを後方へ駆動してスタニングロッドを引き戻すように第２加圧チャンバから内方チャンバの前方端部へ加圧流体を供給することと
を含む、動物を失神させる方法。
【請求項９】
先端部を有するハウジングと、前方端部および後方端部を有するハウジング内の内方チャンバと、内方チャンバ内で摺動自在なピストンと、ハウジングの先端部に向かって前方へそしてそこから離れる後方へピストンによって駆動できる、ハウジング内のスタニングロッドと、内方チャンバの後方端部と連結する、内方チャンバに隣接した第１加圧チャンバと、内方チャンバの前方端部と連結する、内方チャンバに隣接した第２加圧チャンバと、第１加圧チャンバから内方チャンバの後方端部へ、そして第２加圧チャンバから内方チャンバの前方端部へ加圧流体の流れを交互に制御するためのバルブシステムとを有する家畜銃を用意することと、
加圧流体を第１加圧チャンバおよび第２加圧チャンバに同時に供給することと、
動物を失神させるようにピストンを動かしてスタニングロッドを前方へ駆動するように第１加圧チャンバから内方チャンバの後方端部へ加圧流体を供給することと、
続いてピストンを動かしてスタニングロッドを後方へ駆動してスタニングロッドを引き戻すように第２加圧チャンバから内方チャンバの前方端部へ加圧流体を供給することと
を含む、動物を失神させる方法。
【請求項１０】
先端部を有するハウジングと、前方端部および後方端部を有するハウジング内の内方チャンバと、内方チャンバ内で摺動自在なピストンと、ハウジングの先端部に向かって前方へそしてそこから離れる後方へピストンによって駆動できる、ハウジング内のスタニングロッドと、内方チャンバの後方端部と連結する、内方チャンバに隣接した第１加圧チャンバと、内方チャンバの前方端部と連結する、内方チャンバに隣接した第２加圧チャンバと、第１加圧チャンバから内方チャンバの後方端部へ、そして第２加圧チャンバから内方チャンバの前方端部へ加圧流体の流れを交互に制御するためのバルブシステムとを有する家畜銃を用意することと、
第１加圧チャンバから内方チャンバの後方端部へ、そして第２加圧チャンバから内方チャンバの前方端部へ加圧流体の流れを交互に制御するためのバルブシステムを用意することと、
加圧流体を第１加圧チャンバに供給することと、
加圧流体を第２加圧チャンバに供給することと、
ピストンを動かして動物を失神させるようにスタニングロッドを駆動するように加圧流体の流れを第１加圧チャンバから内方チャンバの後方端部に供給しかつ制御するようにバルブシステムを作動することと、
続いてピストンを動かしてスタニングロッドを後方へ駆動しそしてスタニングロッドを引き戻すように第２加圧チャンバから内方チャンバの前方端部へ加圧流体を供給しかつ制御することと
を含む、動物を失神させる方法。
【請求項１１】
バルブシステムは、ピストンを動かしてスタニングロッドを前方へ駆動するようにピストンの後方に加圧流体を供給する前に、さらに第１および第２加圧チャンバを同時に加圧流体で満たすように加圧流体の流れを第１および第２加圧チャンバへ制御する、請求項１０に記載の方法。
【請求項１２】
家畜銃に用いるように適合されたスタニングロッドであって、該ロッドは家畜銃の内方チャンバ内に移動自在なピストンに取り付け可能であり、内方チャンバはスタニングロッドを交互に保持および解放するための掛止部を有し、該ロッドは、
長手方向軸を有し、動物の頭部を打撃するための突出部を受容するように適合された前方端部と掛止部と、係合するための外方へ延びる縁部を受容するように適合された対向する後方端部とを有する細長い本体と、
ピストンを受容するように適合された外方に延びるフランジを有する、前方および後方端部間のマウント部分と
を含み、
マウント部分と前方端部との間のスタニングロッドの細長い本体は少なくとも長さの一部に沿って第１半径および第１幅を有する第１対の対向側部と、第２半径および第２幅を有する第２対の対向側部とを有し、第２対の対向側部の半径は第１対の対向側部の半径と異なり、第１対の対向側部間の第１幅は第２対の対向側部間の第２幅よりも小さく、
スタニングロッドは動物を失神させるように家畜銃内方チャンバ内を長手方向軸に沿って前方へ、そしてスタニングロッドを引き戻して掛止部により保持するように長手方向軸に沿って後方へ駆動できる、
スタニングロッド。
【請求項１３】
第１対の対向側部の半径は約０．５０〜０．７０インチ（１．２７〜１．７８cm）であり、第２対の対向側部の半径は約０．２５〜０．４５インチ（０．６４〜１．１４cm）である、請求項１２に記載のスタニングロッド。
【請求項１４】
第１対の対向側部間の幅は約０．４２５〜０．６２５インチ（１．０７９５〜１．５８７５cm）であり、第２対の対向側部間の幅は約０．６５〜０．８５インチ（１．６５〜２．１６cm）である、請求項１２に記載のスタニングロッド。
【請求項１５】
外方へ延びるフランジに隣接してマウント部分にピストンをさらに含む、請求項１２に記載のスタニングロッド。
【請求項１６】
ピストンはマウント部分に摺動自在に取り付けられる、請求項１５に記載のスタニングロッド。
【請求項１７】
ピストンはスタニングロッドの細長い本体と一体である、請求項１５に記載のスタニングロッド。
【請求項１８】
係止部と係合するために後方端部に外方へ延びる縁部をさらに含む、請求項１２に記載のスタニングロッド。
【請求項１９】
外方へ延びる縁部は後方端部に取り付けられる、請求項１８に記載のスタニングロッド。
【請求項２０】
外方へ延びる縁部はスタニングロッドの細長い本体と一体である、請求項１８に記載のスタニングロッド。
【請求項２１】
スタニングロッドを交互に保持および解放するための、内方チャンバと掛止部を有する家畜銃においてスタニングロッドを使用する方法であって、該方法は、
長手方向軸を有する細長い本体を有するスタニングロッドであって、細長い本体は前方端部と対向する後方端部とを有し、前方端部は動物の頭部を打撃するように寸法付けられ、そして対向する後方端部は掛止部と係合するための外方延びる縁部を有し、前方および後方端部間のマウント部分がピストンを摺動自在に受容できるように外方へ延びるフランジを有し、マウント部分と前方端部の間のスタニングロッドは第１半径および第１幅を有する第１対の対向する側部と第２半径および第２幅を有する第２対の対向する側部とを有し、第２対の対向する側部の半径は第１対の対向する側部の半径と異なり、第１対の対向する側部間の第１幅は第２対の対向する側部間の第２幅よりも小さいスタニングロッドを用意することと、
家畜銃の内方チャンバ内で移動自在なピストンをスタニングロッドに用意することと、
開口を有するハウジング突出部であって、外方ハウジング突出部の開口はスタニングロッドの第１半径および第１直径並びに第２半径および第２直径よりも僅少大きくかつ合致されるハウジング突出部を家畜銃に用意すること、
スタニングロッドが家畜銃ハウジング突出部の開口を通って延びる状態で家畜銃内方チャンバにスタニングロッドおよびピストンを取り付けることと、
ピストンを前方へ動かすように加圧流体を内方チャンバの後方端部に供給することと、
動物を失神させるためにスタニングロッドを前方へ駆動するようにロッドを外方ハウジング突出部の開口を通って内方チャンバ内で長手方向軸に沿って摺動することと、
スタニングロッドを長手方向軸に沿って後方へ引き戻すことと、
ロッドの後方端部の外方へ延びる縁部と掛止部との係合によってスタニングロッドを内方チャンバ内に保持することと
を含む、方法。
【請求項２２】
ロッドは長手方向軸の回りで回転運動することなしに内方チャンバ内を摺動する、請求項２１に記載の方法。
【請求項２３】
第１対の対向する側部の半径は約０．５０〜０．７０インチ（１．２７〜１．７８cm）であり、第２対の対向する側部の半径は約０．２５〜０．４５インチ（０．６４〜１．１４cm）である、請求項２１に記載の方法。
【請求項２４】
第１対の対向する側部間の幅は約０．４２５〜０．６２５インチ（１．０７９５〜１．５８７５cm）であり、第２対の対向する側部間の幅は約０．６５〜０．８５インチ（１．６５〜２．１６cm）である、請求項２１に記載の方法。
【請求項２５】
先端部を有するハウジングと、
前方端部と後方端部とを有するハウジング内の内方チャンバと、
内方チャンパ内で摺動自在なピストンと、
細長い本体を有するハウジング内のスタニングロッドであって、ハウジングの先端部に向かう前方へそしてそこから離れる後方へピストンにより駆動可能であり、細長い本体は前方端部と対向する後方端部とを有し、前方端部は動物の頭部を打撃するように寸法付けられ、対向する後方端部は掛止部と係合するための外方へ延びる縁部を有し、細長い本体は少なくとも長さの一部に沿って第１半径および第１幅を有する第１対の対向する側部と第２半径および第２幅を有する第２対の対向する側部とを有し、第２対の対向する側部の半径は第１対の対向する側部の半径と異なり、第１対の対向する側部間の第１幅は第２対の対向する側部間の第２幅よりも小さいスタニングロッドと、
スタニングロッドを交互に保持および解放するための掛止部と
を含む、動物を失神させるための家畜銃。
【請求項２６】
第１対の対向する側部の半径は約０．５０〜０．７０インチ（１．２７〜１．７８cm）であり、第２対の対向する側部の半径は約０．２５〜０．４５インチ（０．６４〜１．１４cm）である、請求項２５に記載の家畜銃。
【請求項２７】
第１対の対向する側部間の幅は約０．４２５〜０．６２５インチ（１．０７９５〜１．５８７５cm）であり、第２対の対向する側部間の幅は約０．６５〜０．８５インチ（１．６５〜２．１６cm）である、請求項２５に記載の家畜銃。
【請求項２８】
ピストンはスタニングロッドに摺動自在に散り付けられる、請求項２５に記載の家畜銃。
【請求項２９】
ピストンはスタニングロッドの細長い本体と一体である、請求項２５に記載の家畜銃。
【請求項３０】
掛止部と係合するためにスタニングロッドの後方端部に外方へ延びる縁部をさらに含む、請求項２５に記載の家畜銃。
【請求項３１】
外方へ延びる縁部は後方端部に取り付けられる、請求項３０に記載の家畜銃。
【請求項３２】
外方へ延びる縁部はスタニングロッドの細長い本体と一体である、請求項３０に記載の家畜銃。
【請求項３３】
動物を失神させるように前方へそしてスタニングロッドを引き戻すように後方へ長手方向軸に沿って駆動できるスタニングロッドをその中に有するハウジングと、
スタニングロッドを前方へ駆動するように加圧流体の流れを制御するバルブトリガを有するハンドルと、
ハウジングに結合される第１部分と、ハンドルに結合される第２部分と、第１および第２部分間に配設される少なくとも１つのクッションとを有し、ハウジングからハンドルに伝達される振動および衝撃を吸収するように作用する、ハンドルとハウジングとの間のマウントと
を含む、動物を失神させるための家畜銃。
【請求項３４】
ハンドルはバルブトリガによって制御されるバルブを含み、マウント第１部分はハウジングに結合される加圧流体の流れのための少なくとも１つの通路を含み、マウント第２部分はハンドルバルブに結合される加圧流体の流れのための少なくとも１つの通路を含み、マウント第１および第２部分の少なくとも１つの通路は加圧流体がハウジングとハンドルバルブとの間を流動できるように結合される、請求項３３に記載の家畜銃。
【請求項３５】
各マウント第１および第２部分内の複数の通路と、マウント第１および第２部分の通路を繋ぐ複数のホースとを含む、請求項３４に記載の家畜銃。
【請求項３６】
マウント第１部分をマウント第２部分に固着する、少なくとも１つのクッションを通って延びる少なくとも１つのファスナを含む、請求項３３に記載の家畜銃。
【請求項３７】
マウント第１および第２部分の一方は中央フランジを有し、マウント第１および第２部分の他方は１対の側部フランジを有し、そして中央フランジと側部フランジの各々との間に配設されたクッションと、マウント第１部分をマウント第２部分に固着するようにクッションを通ってフランジに延びる少なくとも１つのファスナとを含む、請求項３３に記載の家畜銃。
【請求項３８】
ハウジングから補助的ハンドルに伝達される振動および衝撃を吸収するクッションを有する補助的ハンドルをハンドルに含む、請求項３３に記載の家畜銃。
【請求項３９】
トリガの動きが長手方向軸に垂直な方向である固定位置にハンドルを向けるようにマウントがハウジングに固定可能である、請求項３３に記載の家畜銃。
【請求項４０】
動物を失神させるように前方へそしてスタニングロッドを引き戻すように後方へ長手方向軸に沿って駆動できるスタニングロッドをその中に有するハウジングと、
スタニングロッドを前方へ駆動および引き戻すように加圧流体の流れを制御するようにバルブおよび移動自在なバルブトリガを有するハンドルと、
ハンドルとハウジングとの間に設けられ、ハウジングとハンドルバルブとの間に圧縮空気を流すための少なくとも１つの通路を有し、長手方向軸以外の方向へトリガを動かす固定位置にハンドルを向けるようにハウジングに固着可能なマウントと
を含む、動物を機失神させるための家畜銃。
【請求項４１】
マウントはハンドルトリガの運動を長手方向軸に垂直な方向に向ける、請求項４０に記載の家畜銃。
【請求項４２】
マウントは、ハウジングに結合される第１部分と、ハンドルに結合される第２部分と、第１および第２部分間に配設される少なくとも１つのクッションとを有し、ハウジングからハンドルに伝達される振動および衝撃を吸収するように作用する、請求項４０に記載の家畜銃。
【請求項４３】
動物を失神させるように前方へそして引き戻すように後方へ長手方向軸に沿ってスタニングロッドを駆動できるスタニングロッドをその中に有するハウジングと、
スタニングロッドを前方へ駆動するように加圧流体の流れを制御するようにバルブトリガを有するハンドルと、
ハンドルとハウジングとの間のマウントであって、ハウジングに結合される第１部分とハンドルに結合される第２部分とを有し、第１および第２マウント部分の各々が対向する縁部を有し、第１マウント部分の縁部が第２マウント部分の縁部から離間され、第１および第２マウント部分が対向する縁部間で相互に固着されるマウントと、
第１および第２マウント部分間の空間を密封するように対向する側部を有する、第１および第２マウント部分間に配設される少なくとも１つのクッションと
を含む、動物を失神させるための家畜銃。
【請求項４４】
少なくとも１つのクッションは、第１および第２マウント部分の対向する縁部部分の一方間の空間を密封する縁部を有する第１部分と、第１および第２マウント部分の対向する縁部部分の他方間の空間を密封する縁部を有する第２部分とを有する、請求項４３に記載の家畜銃。
【請求項４５】
マウントは第１および第２マウント部分枢動運動できるように軸に沿って固着される、請求項４３に記載の家畜銃。
【請求項４６】
ハウジングおよびハンドルの各々はスタニングロッドを駆動するように加圧流体のための少なくとも１つの通路を有し、第１および第２マウント部分の各々は第１および第２マウントが互いに固着される位置の最も近くにハウジングおよびハウジング通路を結合する少なくとも１つの含む、請求項４４に記載の家畜銃。
【請求項４７】
第１および第２クッション部分は別体である、請求項４４に記載の家畜銃。
【請求項４８】
クッションは単一体であり、そして第１および第２クッション部分を結合する第３部分をらに含む、請求項４４に記載の家畜銃。
【請求項４９】
第１および第２クッション部分は第１および第２側部を有し、第１および第２クッションの第１側部の厚さは第１および第２クッションの第２側部の厚さと異なる、請求項４４に記載の家畜銃。
【請求項５０】
クッションは単一体であり、そしてさらに第１および第２クッション部分を結合する第３部分を含み、第３部分はハウジングおよびハンドル通路を結合するための少なくとも１つの通路をさらに含む、請求項４６に記載の家畜銃。
【請求項５１】
マウントは第１および第２マウント部分間の枢動運動を許容するように軸に沿って固定され、そしてさらにハウジングおよびハンドル通路を結合するための少なくとも１つの通路を含む、軸に沿ったピンを含む、請求項４６に記載の家畜銃。
【請求項５２】
家畜銃のハウジングをハンドルに結合するためのマウントであって、ハウジングは、動物を失神させるように前方へそしてスタニングロッドを引き戻すように後方へ長手方向に沿って駆動できるスタニングロッドをその中に有し、スタニングロッドを前方へ駆動するようにように加圧流体の流れを制御するようにバルブトリガを有し、ハウジングおよびハンドルの各々はスタニングロッドを駆動するように加圧流体のための少なくとも1つの通路を有し、該マウントは、
ハウジングと結合するための第１マウント部分と、
ハンドルに結合するための第２マウント部分と
を含み、
第１および第２マウント部分の各々は対向する縁部を有し、第１マウント部分の縁部は第２マウント部分の縁部から離間され、第１および第２マウント部分は対向する縁部間で互いに固着され、
第１および第２マウント部分の各々は第１および第２マウント部分が互いに固着される位置の最も近くにハウジングおよびハンドル通路を結合するための少なくとも１つの通路含む、
マウント。
【請求項５３】
第１マウント部分および第２マウント部分は第１および第２マウント部分間の枢動運動を許容するように軸に沿って相互に固着される、請求項５２に記載のマウント。
【請求項５４】
第１マウント部分および第２マウント部分の第１縁部間の空間は第１マウント部分および第２マウント部分の第２縁部間の空間と等しくない、請求項５２に記載のマウント。
【請求項５５】
軸に沿ったピンをさらに含み、該ピンはハウジングおよびハンドル通路を連結するための少なくとも１つの通路を含む、請求項５３に記載のマウント。
【請求項５６】
第１および第２マウント部分が固着される軸に沿った少なくとも１つのピンをさらに含む、請求項５３に記載のマウント。
【請求項５７】
少なくとも１つのクッションは第１および第２マウント部分間に配設される、請求項５２に記載のマウント。
【請求項５８】
少なくとも１つのクッションは第１および第２マウント部分の対向する縁部部分の一方の間の空間を密封する縁部を有する第１部分と、第１および第２マウント部分の対向する縁部部分の他方の間の空間を密封する縁部を有する第２部分とを有する、請求項５７に記載のマウント。
【請求項５９】
第１および第２クッション部分は別体である、請求項５８に記載のマウント。
【請求項６０】
クッションは単一体であり、そしてさらに第１および第２クッション部分を結合する第３部分を含む、請求項５８に記載のマウント。
【請求項６１】
クッションは単一体であり、そしてさらに第１および第２クッション部分を結合する第３部分を含み、第３部分はさらにハウジングおよびハンドル通路を結合するための少なくとも１つの通路を含む、請求項５８に記載のマウント。
【請求項６２】
家畜銃のハウジングからハンドルに伝達される振動および衝撃を吸収するための抗衝撃クッションであって、ハンドルは家畜銃への加圧流体の流れを制御するバルブおよびバルブトリガとハンドルおよびハウジング間のマウントとを有し、マウントはハウジングに結合される第１部分とハンドルに結合される第２部分とを有し、第１および第２マウント部分の各々は対向する縁部を有し、第１マウント部分の縁部は第２マウント部分の縁部から離間され、第１および第２マウント部分は対向する縁部間で互いに固着され、クッションは第１および第２マウント部分間に配設されそしてマウント部分の一方の開口に受容される、そこから延びる穴を有し、クッションは第１および第２マウント部分間の空間を密封するようにその３つの側部に上方および下方へ延びる縁部を有する、クッション。
【請求項６３】
動物を失神させるように前方へそしてスタニングロッドをき戻すように後方へ長手方向軸に沿って駆動可能なスタニングロッドをその中に有するハウジングと、
スタニングロッドを前方へ駆動するように加圧流体の流れを制御するバルブおよび第１可動バルブトリガを有する第１ハンドルと、
加圧流体の流れを制御するバルブおよび第２可動バルブトリガを有する第２ハンドルであって、第１および第２ハンドルのバルブは通路によって結合されており、第１および第２バルブトリガの両者はスタニングロッドを前方へ駆動するように加圧流体を供給するように押圧されなければならないことと、
第２ハンドルおよび第２ハンドルの側部から外方へ延びる第２可動バルブトリガを取り付けられるハウジングから延びるブラケットであって、第２ハンドルはブラケット内で回転自在でありかつ複数の位置の１つの適所に固定され、第２可動バルブトリガは第２ハンドルから延びるように配置されかつハウジングに関して複数の異なる固定位置で作動できること
を含む、動物を失神させるための家畜銃。
【請求項６４】
ハウジングは、動物を失神させるようにスタニングロッドから前方へ突出する先端部と、先端部に対向する後端部と、先端部と後端部との間の側部とを有し、第１ハンドルはハウジングの側部から延びる主ハンドルであり、第２ハンドルはハウジングの後端部から延びる補助的ハンドルであり、ハンドルは実質的に長手方向軸に垂直に指向される、請求項６３に記載の家畜銃。
【請求項６５】
ブラケットおよび第２ハンドルの一方は突出部を有し、ブラケットおよび第２ハンドルの他方は突出部を受容するための開口を有し、突出部は第２ハンドルがブラケットに関して複数の位置へ回転できるように開口から着脱自在であり、突出部は第２ハンドルを複数の位置の適所の１つに固定するように開口内に着脱自在である、請求項６３に記載の家畜銃。
【請求項６６】
突出部は第２ハンドルの端部にキー溝を含み、開口はキー溝を受容するためのブラケットの溝を含み、第２ハンドルは第２ハンドルが回転できるようにキー溝をブラケット溝から外すようにブラケットに関して摺動自在であり、キー溝は第２ハンドルを適所に固定するように溝内に再係合可能である、請求項６５に記載の家畜銃。
【請求項６７】
第２ハンドルのバルブはキー溝に対向する第２ハンドルの端部でブラケットに配設され、第２ハンドルバルブは第２ハンドルを適所に固定するようにキー溝が溝内に再係合可能であるときにキー溝がブラケット溝から離脱してブラケットに再配置可能であるようにブラケットから着脱自在である、請求項６６に記載の家畜銃。
【請求項６８】
動物を失神させるように前方へそしてスタニングロッドを引き戻すように後方へ長手方向軸に沿って駆動できるスタニングロッドをその中に有するハウジングと、
スタニングロッドを前方へ駆動するように加圧流体の流れを制御するためのバルブおよび第１可動バルブトリガを有する第１ハンドルと、
加圧流体の流れを制御するためのバルブおよび第２可動バルブトリガを有する第２ハンドルであって、第１および第２ハンドルのバルブは通路により結合され、それにより、第１および第２バルブトリガの両者はスタニングロッドを前方へ駆動するように加圧流体を供給するように押し下げられねばならず、第２ハンドルは第２ハンドルブラケットに配設されることと、
第２ハンドルブラケットを取り付けられるハウジングから延びる取付けブラケットと、
第２取付けブラケットと第２ハンドルブラケットとの間に配設される第１抗衝撃クッションと
を含む、動物を失神させるための家畜銃。
【請求項６９】
第１抗衝撃クッションはそこから延びる複数の突起部を含み、第２ハンドルブラケットは突起部を受容するための開口を含む、請求項６８に記載の家畜銃。
【請求項７０】
第２ハンドルブラケットに対向する側部で取付けブラケットに固着される端部キャップと、取付けブラケットと端部キャップとの間に配設される第２抗衝撃クッションとをさらに含む、請求項６９に記載の家畜銃。
【請求項７１】
家畜銃のハウジングからハンドルへ伝達される振動および衝撃を吸収するための抗衝撃クッションであって、ハンドルは家畜銃への加圧流体の流れを制御するためのバルブおよびバルブトリガを有し、ハンドルはハウジングから延びる取付けブラケットに取り付けられたハンドルブラケットに配設され、クッションは細長くかつ取付けブラケットとハンドルブラケットの間に配設され、クッションはクッションの長さに沿ってそこから延びてハンドルブラケットの開口に受容される複数の離間された突起部を含む、クッション。
【請求項７２】
突起部は相互に対面する凹状側部を有し、クッションは取付けブラケットとハンドルブラケットとを結合するように突起部間にボルトを受容するための開口を有する、請求項７１に記載の抗衝撃クッション。
【請求項７３】
動物を失神させるように前方へそしてスタニングロッドを引き戻すように後方へ長手方向軸に沿って駆動できるスタニングロッドをその中に有するハウジングと、スタニングロッドを前方へ駆動しそして引き戻すように加圧流体の流れを制御するバルブおよび第１可動バルブトリガを有する第１ハンドルと、加圧流体の流れを制御するバルブおよび第２可動バルブトリガを有する第２ハンドルであって、第１および第２バルブトリガの両者がスタニングロッドを前方へ駆動するように加圧流体を供給するように押し下げられねばならないので第１および第２ハンドルのバルブが通路により結合され、第２ハンドルと第２ハンドルの側部から外方へ延びる第２可動バルブトリガとを取り付けられるハウジングから延びるブラケットとを有し、該ハンドルはブラケット内で回転自在でありかつ第１位置において適所に固定され、第２トリガが第２ハンドルから延びてハウジングに関して第１固定位置で作動可能である家畜銃を用意することと、
第２ハンドルをブラケット内で第１位置と異なる第２位置に回転することと、
第２トリガが第２ハンドルから延びそしてハウジングに関して第１固定位置と異なる第２固定位置で作動可能である、適所の第２位置に第２ハンドルを固定することと
を含む、家畜銃の作動方法。
【請求項７４】
ブラケットおよび第２ハンドルの一方は突起部を有し、ブラケットおよび第２ハンドルの他方は突起部を受容する開口を有し、そして、第２ハンドルを回転する前に、第２ハンドルがブラケットに関して回転できるように突起部を開口から外すことを含み、さらに、第２ハンドルを第２位置に回転した後に、第２位置の適所に第２ハンドルを固定するように突出部を開口内に置き換えることを含む、請求項７３に記載の方法。
【請求項７５】
突起部は第２ハンドルの端部にキー溝を含み、開口はキー溝を受容するためにブラケットに溝を含み、第２ハンドルを回転する前に、第２ハンドルが回転できるようにキー溝をブラケット溝から離脱するようにブラケットに関して第２ハンドルを摺動することを含み、さらに、ブラケットに関して第２ハンドルを第２位置に回転した後に、第２位置の適所に第２ハンドルを固定するようにブラケット内のキー溝を再係合するようにブラケットに関してハンドルを摺動することを含む、請求項７４に記載の方法。
【請求項７６】
第２ハンドルのバルブはキー溝に対向する第２ハンドルの端部でブラケットに配設され、キー溝をブラケット溝から外せるように第２ハンドルバルブをブラケットから取り外すことを含み、さらに、第２ハンドルを適所に固定するようにブラケット溝内にキー溝を再係合した後に、バルブをブラケットに戻すことを含む、請求項７５に記載の方法。
【発明の詳細な説明】
【技術分野】
【０００１】
本出願は、２０１６年７月１日出願の米国仮特許出願第６２／３５７,５６６号、２０１７年２月２日出願の米国仮特許出願第６２／４５３,５７９号、２０１６年９月１日出願の米国非仮特許出願第１５／２５４,５４６号、２０１６年７月１５日出願の米国非仮特許出願第１５／２１１,５２４号、２０１７年２月２日出願の米国非仮特許出願第１５／４２２,８８５号、２０１７年４月１２日出願の米国非仮特許出願第１５／４８５,３４６号、２０１７年３月２日出願の米国非仮特許出願第１５／４４７,３１６号、および２０１７年６月２９日出願の米国非仮特許出願第１５／６３７,５８７号の優先権を主張するものである。
【０００２】
本発明は、概して、家畜／畜殺場の作業で用いられる空気式家畜銃に関し、より具体的には、動物を失神させるのに用いられるスタニングロッドと、スタニングロッドを保持しそして放つための保持システムと、作動周期間にスタニングロッドを後退させるように用いられる圧縮空気供給装置と、作業者が家畜銃を保持するのに用いられるハンドルに関する。
【背景技術】
【０００３】
家畜生産プラントにおいて、動物を処理するために失神させて動けなくすることは重要なことである。動物を失神させるのに多くの方法が用いられてきたが、動物を動けなくするにはキャプティブボルト機構が最も能率的で、廉価で、そして人道的方法であることが証明された。特に、空気式キャプティブボルト装置がこの能力に用いられている。
【０００４】
本説明において参照事項として組み込まれる米国特許第６,１３５,８７１号および米国特許公開第２００４／０２０９５６２の開示内容は、別のものとの間で、スタニングロッドを駆動するピストンのための物理的掛止部装置を備えた空気式家畜銃を開示している。
【０００５】
図１および２は従来の家畜銃の掛止部機構を示しており、ピストン２から右方（前方）に延びるスタニングロッド１が、掛止部４の端部４ａで内方に延びる縁部によって交互に保持および解放される外方に延びる縁部３を含む左方（後方）端部を有する。掛止部４の本体中央部には、掛止部旋回ポスト６の外方に延びるフランジ６ａの回りで枢動自在な内方に延びるフランジ４ｂがある。掛止部ピストン５は前方端に内側ボア５ａを、後方端に内側ボア５ｃを、そして両者間に軽減部分５ｂを備える。図１の保持位置において、掛止部ピストン５は長手方向後方へ摺動され、それにより、前方の内側ボア５ａは掛止部前方端部４ａをスタニングロッド縁部３に向かって動かして係合し、同時に、後方の内側ボア５ｃは掛止部後方端部４ｃの外面に接合する。図２の解放位置において、掛止部ピストン５は長手方向前方へ摺動され、それにより、前方の内側ボア５ａは掛止部前方端部４ａの前方へ移動し、そして軽減部分５ｂは、掛止部４の縁部４ａが掛止部ポストの枢動フランジ６ａの回りで枢動するように、掛止部前方端部４ａが外方に移動するのを許容しそしてスタニングロッド縁部３との係合を外す。同時に、掛止部ピストン後方の内側ボア５ｃは前方へ摺動し、掛止部ピストン後方端部４ｃの外面との接合を外れる。スタニングロッド縁部を解放すると、圧縮空気後背ピストン２は動物を失神させるようにスタニングロッド１を前方へ移動する。
【０００６】
このような従来技術の掛止部およびその他の構成要素は周知であるが、作業時、この構成要素の幾つかは別の構成要素と摺動結合させられており、それ故、それらの構成要素を引き摺らせたり、定期的な交換を必要としたりする障害や摩耗を生ずる。スタニングロッドもまた使用中に交換することを仮定している。
【０００７】
過剰な各スタニングサイクルに必要な空気量は作業コストを増加するので従来の家畜銃における圧縮空気の使用法もまた発行されている。加えて、作業者は家畜銃を繰り返し使用するときに各作業サイクルにおけるスタニングロッドの突出と後退の衝撃によって疲労させられる。
【発明の概要】
【発明が解決しようとする課題】
【０００８】
従来技術の問題よび欠点に鑑み、本発明の目的は、家畜銃の作動を制御する可動部品の摩耗を低減する解放システムを有する家畜銃を提供することにある。
【０００９】
本発明の別の目的は、作動中、掛止部と掛止部ピストンとの間の運動時に引き摺りを減衰された家畜銃を提供することにある。
【００１０】
本発明の別の目的は、掛止部および掛止部ピストンに繰り返される作業の結果として摩滅を減衰され、早期の故障を減衰された家畜銃を提供することにある。
【００１１】
本発明のまた別の目的は、より強力で改良された掛止システムによってより信頼性のあるスタニングを有する家畜銃を提供することにある。
【００１２】
本発明のさらに別の目的は、より強力な家畜銃の結果として改良された作業者の安全性を有する家畜銃を提供することにある。
【００１３】
本発明の別の目的は、各スタナーサイクル間でより低い圧縮空気を用いる家畜銃を提供することにある。
【００１４】
本発明のさらなる目的は、改善された作業快適性および低減された傷害発生率を有する家畜銃を提供することにある。
【００１５】
本発明のまた別の目的は、スタニングロッドが回転することなく容易にかつ確実に摺動する家畜銃を提供することにある。
【００１６】
本発明のその他の目的および利点は、明細書から一部は自明であり、一部は明示されよう。
【課題を解決するための手段】
【００１７】
上述および、当業者にとって明白となるその他の目的は、動物を失神させるための家畜銃に指向される本発明において達成され、それは、先端部を有するハウジングと、前方端部と後方端部とを有するハウジング内の内方チャンバと、内方チャンバ内で摺動自在なピストンと、ピストンにより前方および後方に向かいかつハウジングの先端部から離れて駆動されるハウジング内のスタニングロッドとを含む。第１加圧チャンバが内方チャンバに隣接して配設される。第１加圧チャンバは内方チャンバの後方端部と連通して、ピストンの後方に加圧流体を供給する。第２加圧チャンバが内方チャンバに隣接して配置される。第２加圧チャンバは内方チャンバの前方端部と連通して、ピストンの前方に加圧流体を供給する。本家畜銃は、加圧流体を、動物を失神させるようにピストンを動かしてスタニングロッドを前方に駆動するように第１加圧チャンバから内方チャンバの後方端部へ、そしてピストンを動かしてスタニングロッドを後方に駆動し、スタニングロッドを引っ込めるように第２加圧チャンバから内方チャンバの前方端部へと交互に流れるように制御するバルブシステムをさらに備えることもできる。
【００１８】
第２加圧チャンバは内方チャンバの外方を取り囲むこともでき、そして環状円筒形体であってもよい。第２加圧チャンバは第１加圧チャンバよりも小さくすることもできる。
【００１９】
第１加圧チャンバは内方チャンバの中央部または後方端部に隣接して内方チャンバの外方を取り囲むこともでき、そして第２加圧チャンバは内方チャンバの中央部または前方端部に隣接して内方チャンバの外方を取り囲むこともできる。
【００２０】
バルブシステムは複数の通路を有するバルブ本体を含むこともできる。バルブ本体は、ピストンを動かしてスタニングロッドを前方へ駆動するように加圧流体をピストンの後方に供給する前に、第１および第２加圧チャンバを加圧流体で満たすように第１および第２加圧チャンバへの加圧流体の流れをさらに制御してもよい。
【００２１】
関連する観点において、本発明は、動物を失神させる方法を指向しており、それは、先端部を有するハウジングと、前方端部および後方端部を有するハウジングの内方チャンバと、内方チャンバ内で摺動自在なピストンと、ピストンによって前方および後方向かいそしてハウジングの先端部から離れて駆動できるハウジング内のスタニングロッドとを有する家畜銃を準備することを含む。家畜銃は、内方チャンバに隣接して、内方チャンバの後方端部と連結する第１加圧チャンバと、内方チャンバに隣接して、内方チャンバの前方端部と連結する第２加圧チャンバとを備える。家畜銃はまた、第１加圧チャンバから内方チャンバの後方端部へ、そして第２加圧チャンバから内方チャンバの前方端部へ、加圧流体を交互に流すように制御するバルブシステムを備える。本方法は、第１加圧チャンバに加圧流体を供給し、そして第２加圧チャンバに加圧流体を供給することを含む。本方法はさらに、ピストンを動かしてスタニングロッドを前方に駆動し、動物を失神させるように、第１加圧チャンバから内方チャンバの後方端部に加圧流体を供給し、続いて、ピストンを動かしてスタニングロッドを後方に駆動してスタニングロッドを引き戻すように、第２加圧チャンバから内方チャンバの前方端部に加圧流体を供給することを含む。加圧流体は第１加圧チャンバと第２加圧チャンバとに同時に供給され得る。
【００２２】
本方法は、第１加圧チャンバから内方チャンバの後方端部へ、そして第２加圧チャンバから内方チャンバの前方端部へ加圧流体を交互に流すように制御するバルブシステムを準備することを含むこともできる。本方法はさらに、加圧流体を、第１加圧チャンバから内方チャンバの後方端部へ、続いて第２加圧チャンバから内方チャンバの前方端部へ流すように、バルブシステムに制御させることを含むこともできる。
【００２３】
バルブシステムは、ピストンを動かしてスタニングロッドを前方へ駆動するように加圧流体をピストンの後方に供給する前に、第１および第２加圧チャンバを同時に加圧流体で満たすように加圧流体を第１および第２加圧チャンバに流すようにさらに制御することもできる。第２加圧チャンバは第１加圧チャンバよりも小さい加圧流体を含むこともできる。
【００２４】
本発明は別の観点において、動物を失神させるための家畜銃を指向しており、それは、動物を失神させるように前方へそして引き戻すように後方へ長手方向軸に沿って駆動できるスタニングロッドをその中に有するハウジングと、スタニングロッドを前方に駆動しそして引き戻すように加圧流体の流れを制御するためのバルブトリガを有するハンドルと、ハンドルとハウジングとの間のマウントを含む。マウントはハウジングに連結された第１部分と、ハンドルに連結された第２部分と、第１および第２部分間に配設された少なくとも１つの緩衝材とを有する。マウントはハウジングからハンドルに伝達される振動および衝撃を吸収するように作用する。
【００２５】
ハンドルはバルブトリガにより制御されるバルブを含み得る。マウントの第１部分は、ハウジングに接続される加圧流体の流れのための少なくとも１つの通路を含むこともでき、そしてマウントの第２部分は、ハンドルバルブに接続される加圧流体の流れのための少なくとも１つの通路を含むこともできる。マウントの第１および第２部分の少なくとも１つの通路は加圧流体がハウジングとハンドルバルブとの間を流動できるように接続され得る。マウントの第１および第２部分の各々の中に複数の通路と、マウントの第１および第２部分の通路に接続する複数のホースとを含むこともできる。少なくとも１つのファスナがマウントの第１部分をマウントの第２部分に固定する少なくとも１つの緩衝材を通って延びることもできる。
【００２６】
マウントの第１および第２部分の一方は中央フランジを有することもでき、他方のマウントの第１および第２部分は１対の側部フランジを有することもでき、そして中央フランジと側部フランジの各々との間に配設される緩衝材と、マウントの第１部分をマウントの第２部分に固着するように緩衝材を通ってフランジに延びる少なくとも１つのファスナとを含むこともできる。マウントは固定位置にハンドルを向かわせるようにハウジングに固着可能にしてもよく、そこにおいてトリガの動きは長手方向軸に垂直な方向である。ハウジングから伝達される振動および衝撃を緩衝するように緩衝材を有するハウジングに補助的ハンドルをさらに含むこともできる。
【００２７】
本発明はさらに、動物を失神させるように前方へそして引き戻すように後方へ長手方向軸に沿ってその中で駆動可能なスタニングロッドを有するハウジングと、スタニングロッドを前方に駆動しそして引き戻すように加圧流体の流れを制御するようにバルブおよび移動自在なバルブトリガを有するハンドルと、ハンドルとハウジングとの間のマウントとを含む、動物を失神させるための家畜銃を指向するものである。マウントはハウジングとハンドルバルブとの間に加圧流体を流すための少なくとも１つの通路を有することもできる。マウントは固定位置にハンドルを指向するようにハウジングに固着可能であり、そこにおいて、トリガの動きは長手方向軸以外の方向である。例えば、マウントは長手方向軸に垂直なハンドルトリガ運動方向に指向させ得る。
【００２８】
さらに別の観点において、本発明は、動物を失神させるように前方へそして引き戻すように後方へ長手方向軸に沿ってその中で駆動可能なスタニングロッドを有するハウジングと、スタニングロッドを駆動するように加圧流体の流れを制御するバルブトリガを有するハンドルと、ハンドルとハウジングとの間のマウントとを含む、動物を失神させるための家畜銃を指向するものである。マウントはハウジングに結合される第１部分と、ハンドルな結合される第２部分とを有する。第１および第２マウント部分はそれぞれ対向する端部を有し、第１マウント部分の端部は第２マウント部分の端部から離間される。第１および第２マウント部分は対向する端部間で相互に固定される。少なくとも１つの緩衝材が第１および第２マウント部分間に配設され、そして第１および第２マウント部分間の空間を密封するように対向側部を有することもできる。
【００２９】
少なくとも１つの緩衝材は第１および第２マウント部分の対向端部分の一方間の空間を密封するように端部を備えた第１部分を有し得る。緩衝材はまた、第１および第２マウント部分の対向端部分の他方間の空間を密封する端部を備えた第２部分を有し得る。マウントは第１および第２マウント部分間枢動運動を許容するように軸に沿って固定され得る。
【００３０】
ハウジングおよびハンドルの各々は、スタニングロッドを駆動するように加圧流体のための少なくとも１つの通路を有する。第１および第２マウント部分の各々は、第１および第２マウント部分が相互に固定される位置に近接してハウジングおよびハンドルの通路を接続する少なくとも１つの通路を含み得る。第１および第２緩衝材部分は別体でもよい。互換的に、緩衝材は、第１および第２緩衝材部分を共に接続するための第３部分をさらに含む単一体でもよい。
【００３１】
第１および第２緩衝材部分は第１および第２側部を有してもよく、第１および第２緩衝材部分の第１側部の厚さは第１および第２緩衝材部分の第２側部の厚さと同じまたは異なってもよい。緩衝材は単一体であってもよく、そして第１および第２緩衝材部分を結合する第３部分をさらに含むこともできる。第３部分はさらに、ハウジングおよびハンドルの通路を接続するための少なくとも１つの通路を含むこともできる。マウントは第１および第２マウント部分間の枢動運動を許容するように軸に沿って固定してもよく、そしてさらに軸に沿ってピンを含むこともできる。ピンはハウジングおよびハンドル通路を接続るために少なくとも１つの通路を含み得る。
【００３２】
また別の観点において、本発明は、家畜銃のハンドルにハウジングを結合するためのハウジングを指向するものであり、ハウジングは動物を失神させるように前方へそして引き戻すように後方へ長手方向軸に沿って駆動できるスタニングロッドをその中に有し、ハンドルはスタニングロッドを前方に駆動するように加圧流体の流れを制御するバルブトリガを有し、ハウジングおよびハンドルの各々はスタニングロッドを駆動する加圧流体のための少なくとも１つの通路を有する。マウントはハウジングに結合するための第１マウント部分と、ハンドルに結合するための第２マウント部分とを含む。第１および第２マウント部分はそれぞれ対向端部を有する。第１マウント部分の端部は第２マウント部分の端部から離間され、第１および第２マウント部分は対向する端部間で互いに固着される。第１および第２マウント部分の各々は、第１および第２マウント部分が相互に固着される位置に近接してハウジングおよびハンドルの通路を接続するための少なくとも１つの通路含む。
【００３３】
第１マウント部分および第２マウント部分は、第１および第２マウント部分間に枢動運動を許容するように軸に沿って互いに固着され得る。第１マウント部分および第２マウント部分の第１端部間の間隔は第１マウント部分および第２マウント部分の第２端部間の間隔と等しくなくてもよい。マウントはハウジングおよびハンドルの通路を接続するための少なくとも１つの通路を備えるピンを軸に沿ってさらに含むこともできる。第１および第２マウント部分が固着される少なくとも１つのピンを軸に沿って配設してもよい。第１および第２マウント部分間に少なくとも１つの緩衝材をさらに配設することもできる。
【００３４】
少なくとも１つの緩衝材は第１および第２マウント部分の対向端部分の一方間の空間を密封する端部を備えた第１部分を有することもでき、また緩衝材は第１および第２マウント部分の対向端部分の他方間の空間を密封する端部を備えた第２部分を有することもできる。第１および第２緩衝材部分は別体であってもよい。緩衝材はまた単一体であってもよく、第１および第２緩衝材部分を互いに結合するための第３部分をさらに含んでいてもよい。緩衝材の第３部分は、ハウジングおよびハンドル通路を接続する少なくとも１つの通路をさらに含むこともできる。
【００３５】
別の観点において、本発明は、動物を失神させるために家畜銃のハウジングからハンドルへ伝達される振動および衝撃を吸収するための耐衝撃緩衝材に指向されている。ハンドルは家畜銃への加圧流体の流れを制御するバルブおよびバルブトリガと、ハンドルとハウジングとの間のマウントとを有する。マウントはハウジングに結合される第１部分と、ハンドルに結合される第２部分とを有し、第１および第２マウント部分はそれぞれ対向する端部を有する。第１マウント部分の端部は第２マウント部分の端部から離間され、第１および第２マウント部分は対向する端部間で互いに固定される。緩衝材は第１および第２マウント部分間に配設され、そしてマウント部分の一方の開口に受容される、そこから延びる突起部を有する。緩衝材は第１および第２マウント部分間の空間を密封するように上方および下方延びる縁部をその３つの側部に有する。
【００３６】
本発明のさらに別の観点では、動物を失神させるように前方へそして引き戻すように後方へ長手方向軸に沿って駆動できるスタニングロッドをその中に有するハウジングと、スタニングロッドを駆動するように加圧流体の流れを制御するためのバルブと第１可動バルブトリガとを有する第１ハンドルと、第２ハンドルとを含む、動物を失神させるための家畜銃を指向する。第２ハンドルは加圧流体の流れを制御するようにバルブと第２可動バルブトリガとを有する。第１および第２ハンドルのバルブは通路によって接続され、それにより、第１および第２バルブトリガの両者は、スタニングロッドを前方へ駆動するように加圧流体を供給するために押し下げられねばならない。ブラケットはハウジングから延び、そこには第２ハンドルと第２ハンドルの側部から外方へ延びる第２可動バルブトリガとを装着される。第２ハンドルはフラゲット内で回動自在でありそして複数の位置の１つに適所に固定され得る。第２可動バルブトリガは第２ハンドルから延びるように配置されそしてハウジングに関して複数の異なった固定位置で作動可能である。
【００３７】
ハウジングは、動物を失神させるようにスタニングロッドが前方へ突出する先端部と、先端部に対向する後端部と、先端部と後端部との間の側部とを有する。第１ハンドルはハウジングの側部から延びる主ハンドルであり、第２ハンドルはハウジングの後端部から延びる補助ハンドルである。ハンドルは実質的に長手方向軸と垂直に指向される。ブラケットおよび第２ハンドルの一方は突起部を有し、ブラケットおよび第２ハンドルの他方は突起部を受容するための開口を有し得る。突起部はブラケットに関して複数の位置に第２ハンドルを回転できるように開口から着脱自在である。突起部は複数の位置の適所な一つに第２ハンドルを固定するように開口内に戻すことができる。突起部は第２ハンドルの一端部にスプラインを含むこともでき、開口はスプラインを受容するためにブラケットに溝を含むこともできる。第２ハンドルは、第２ハンドルを回動できるようにブラケット溝からスプラインを離脱するようにブラケットに関して摺動自在であってもよく、スプラインは第２ハンドルを適所に固定するように溝内に再係合できる。第２ハンドルのバルブはスプラインに対向する第２ハンドルの端部でブラケットに配設され得、第２ハンドルバルブはスプラインをブラケット溝から離脱できるようにブラケットから着脱自在でありそしてスプラインが第２ハンドルを適所に固定するように溝内に再係合されるときにブラケットに戻すことができる。
【００３８】
別の観点において、本発明は、動物を失神させるように長手方向に沿って前方へそして引き戻すように後方へ駆動できるスタニングロッドをその中に有するハウジングと、スタニングロッドを前方に駆動するように加圧流体の流れを制御するバルブおよび第１可動トリガを有する第１ハンドルと、加圧流体の流れを制御するバルブおよび第２可動トリガを有する第２ハンドルとを含む、動物を失神させるための家畜銃を指向する。第１および第２ハンドルのバルブは通路によって接続され、それにより、第１および第２トリガの両者は、スタニングロッドを前方へ駆動するには加圧流体を供給するように押し下げられねばならない。第２ハンドルは第２ハンドルブラケットに配設される。第２ハンドルブラケットを取り付けられたハウジングから取付けブラケットが延びる。第１抗衝撃緩衝材が第２取付けブラケットと第２ハンドルブラケットとの間に配設される。
【００３９】
第１抗衝撃緩衝材はそこから延びる複数のボスを含むこともでき、そして第２ハンドルブラケットはこのボスを受容するための開口を含む。端部キャップを第２ハンドルブラケットに対向する側部で取付けブラケットに固定してもよく、第２抗衝撃緩衝材を取付けブラケットと端部キャップとの間に配設してもよい。
【００４０】
さらに別の観点では、本発明は、動物を失神させるための家畜銃のハウジングからハンドルに伝達される振動および衝撃を吸収するための抗衝撃緩衝材を指向する。ハンドルは、家畜銃への加圧流体の流れを制御するようにバルブとバルブトリガとを有し、ハンドルはハウジングから延びる取付けブラケットに取り付けられたハンドルブラケットに配設される。緩衝材は細長くそして取付けブラケットとハンドルブラケットとの間に配設される。緩衝材は、緩衝材の長さに沿ってそこから伸びそしてハンドルブラケットの開口に受容される複数の離間されたボスを含む。抗衝撃緩衝材から延びるボスは、相互に対面する凹形側部を有することもでき、そして緩衝材は、取付けブラケットとハンドルブラケットとを結合するようにボルトを受容するためにボス間に開口を有することもできる。
【００４１】
本発明の別の観点では、動物を失神させるための家畜銃の作動方法を指向する。本方法は、動物を失神させるように前方へそして元に戻すように後方へ長手方向軸に沿って駆動できるスタニングロッドをその中に備えたハウジングを有する家畜銃を準備する。第１ハンドルはスタニングロッドを前方に駆動しそして元に戻すように加圧流体の流れを制御するためのバルブおよび第１可動バルブトリガを有する。第２ハンドルは加圧流体の流れを制御するためのバルブおよび第２１可動バルブトリガを有する。第１および第２ハンドルのバルブは通路によって接続され、それにより、第１および第２バルブトリガの両者はスタニングロッドを前方に駆動するように加圧流体を供給するように押し下げられなければならない。ブラケットは、第２ハンドルと第２ハンドルの側部から外方へ延びる第２可動バルブトリガとを取り付けられたハウジングから延びる。ハンドルはブラケット内で回動自在でありそして第１位置の適所に固定される。第２トリガは第２ハンドルから延びそしてハウジングに関して第１固定位置で作動可能である。本方法は、ブラケット内で第２ハンドルを第１位置と異なる第２位置に回動し、そして第２ハンドルを第２位置の適所に固定することを含む。第２トリガは第２ハンドルから延びそしてハウジングに関して第１固定位置と異なる第２固定位置で作動可能である。
【００４２】
ブラケットの一方および第２ハンドルは突起部を有してもよく他方のブラケットおよび第２ハンドルは突起部を受容するための開口を有する。本方法は、第２ハンドルを回動する前に、第２ハンドルがブラケットに関して回動できるように開口から突起部を離脱することを含む。本方法はさらに、第２ハンドルを第２位置に回動した後に、第２ハンドルを第２位置の適所に固定するように突起部を開口内に戻すことを含む。突起部は第２ハンドルの端部にスプラインを含みこともでき、開口はスプラインを受容するための溝をブラケットに含むこともできる。本方法は、第２ハンドルを回動する前に、第２ハンドルが回動できるようにスプラインをブラケット溝から離脱するようにブラケットに関して第２ハンドルを摺動することを含むこともできる。本方法はさらに、ブラケットに関して第２ハンドルを第２位置に回動した後に、第２ハンドルを第２位置の適所に固定するようにブラケット溝内にスプラインを再係合するようにブラケットに関してハンドルを摺動することを含んでもよい。
【００４３】
第２ハンドルのバルブは、第２ハンドルのスプラインに対向する端部でブラケットに配設されてもよい。本方法は、スプラインをブラケット溝から解放できるようにブラケットから第２ハンドルバルブを取り外し、そして、第２ハンドルを適所に固定するようにスプラインをブラケット溝内に再係合した後に、ブラケットのバルブを戻すことを含むこともできる。
【００４４】
さらに別の観点において、本発明は、先端部を有するハウジングと、ハウジング内にありかつハウジングの先端部に向かって長手方向軸に沿って前方へ駆動できるスタニングロッドとを含む、動物を失神させるための家畜銃を指向する。スタニングロッドの保持および解放を交互に行うために掛止部がハウジング内に取り付けられる。掛止部はスタニングロッド長手方向軸から離間する側部に配設された掛止部枢軸に枢動自在に取り付けられる本体部分と、ハウジング先端部に向かいかつ掛止部枢軸から遠くへ本体部分から延びる端部分とを有する。掛止部端部分は、スタニングロッドがそこから前方へ駆動されるのを阻止する長手方向軸に向かった保持位置と、スタニングロッドが前方へ駆動されるのを許容するスタニングロッド長手方向軸から離間された解放位置との間で移動自在である。掛止部ピストンが長手方向軸から離れた側部に掛止部端部分に隣接して配設される。掛止部ピストンは掛止部端部分に隣接して掛止部に接しかつ掛止部本体部分と接することなく摺動する。掛止部ピストンは、掛止部端部分をスタニングロッド長手方向軸に向かって保持位置へ押し進め、それにより、スタニングロッドを保持して前方へ駆動されるのを阻止する第１位置と、スタニングロッドを解放して前方へ駆動できる、スタニングロッド長手方向軸から離れた解放位置に掛止部端部分が移動できる第２位置との間で長手方向軸の方向に摺動するように適合される。バルブは掛止部ピストンを第１位置から第２位置へ移動させ、それにより、動物を失神させるようにスタニングロッドを長手方向軸に沿って前方へ駆動するように空気の流れを制御することができる。
【００４５】
掛止部枢軸は掛止部枢軸本体の端部から内方に延びる縁部を有してもよい。掛止部本体は、長手方向軸から離間する外方へ延びるフランジを含むこともでき、掛止部本体フランジは保持および解放位置間で掛止部が枢動できるように、内方に延びる掛止部枢軸縁部に係合する。掛止部枢軸は長手方向軸の回りに延びるリングを含むこともできる。複数の掛止部が長手方向軸の回りに配列されてもよく、各掛止部は長手方向軸の回りに弧状に湾曲され、掛止部は掛止部枢軸リングで枢動する。
【００４６】
本発明はまた、先端部およびスタニングロッドをその内部に備えたハウジングを有し、ハウジングの先端部に向かって長手方向軸に沿って前方へスタニングロッドを駆動できる家畜銃を準備することを含む動物を失神させる方法を指向する。家畜銃はスタニングロッドを交互に保持および解放するためにハウジング内に取り付けられた掛止部を含む。掛止部はスタニングロッド長手方向軸から離れた側部に配設される掛止部枢軸に枢動自在に取り付けられた本体部分と、掛止部枢軸からハウジング先端部および末端部に向かって本体部分から延びる端部分とを有する。掛止部端部分は、長手方向軸に向かってスタニングロッドを係合する保持位置と、長手方向軸から離れてスタニングロッドを解放する解放位置との間で移動自在である。家畜銃はまた、長手方向軸から離れる側部に掛止部端部分に近接して配設される掛止部ピストンを含む。掛止部ピストンはハウジング先端部に近接および離間する位置間で長手方向軸の方向に摺動するように適合され、そして掛止部端部分に隣接して掛止部と接合状態でそして掛止部本体部分と非接合状態で摺動する。さらに家畜銃は、掛止部ピストンを第１位置から第２位置へ移動させるように空気の流れを制御できるバルブを含む。本方法は、ハウジング先端部から離れた長手方向軸に沿った第１位置に掛止部ピストンを配置することを含み、掛止部ピストンは、掛止部端部分を保持位置へスタニングロッド長手方向軸に向かって押し進める間、掛止部本体部分と非接合状態であり、それにより、スタニングロッドを保持して前方に駆動されるのを阻止する。本方法はまた、バルブが掛止部ピストンを空気の流れで第１位置から第２位置へ長手方向軸に沿ってハウジング先端部に向かって移動させることができることを含む。第２位置にある掛止部ピストンは、スタニングロッドを解放する長手方向軸から離れた解放位置に掛止部端部分が移動できる間、掛止部本体部分と非接合状態にあり、それにより、動物を失神させるように長手方向軸に沿ってスタニングロッドを前方に駆動できる。
【００４７】
本方法はさらに、動物を失神させたのち、スタニングロッドが第１位置に戻るのを許容し、そこにおいて、掛止部ピストンは長手方向軸に沿ってハウジング先端部から離れて位置される。掛止部ピストンは、掛止部端部分をスタニングロッド長手方向軸に向かって保持位置に押し進める間、掛止部本体部分と非接合状態に残すこともでき、それにより、バルブ作動されるまでスタニングロッドを保持して前方へ駆動されるのを阻止する。
【００４８】
掛止部枢軸は掛止部枢軸本体の端部から内方へ延びる縁部を含むこともでき、掛止部本体は長手方向軸から離れて外方へ延びるフランジを含むこともでき、掛止部本体フランジは、掛止部ピストンが掛止部本体部分と非接合状態に残される間、掛止部が保持および解放位置間を枢動できるように内方へ延びる掛止部枢軸縁部に係合する。
【００４９】
掛止部枢軸は長手方向軸に沿って延びるリングを含むこともでき、各々が長手方向軸の回りに弧状に湾曲した本体部分を有する複数の掛止部を長手方向軸の回りに配列することもできる。掛止部は、掛止部ピストンが湾曲した掛止部本体部分と非接合状態に残される間、掛止部枢軸リングで保持および解放位置間を枢動する。
【００５０】
別の観点において、本発明は、先端部を有するハウジングと、ハウジングの先端部に向かって長手方向軸に沿って前方へ駆動できるハウジング内のスタニングロッドとを含む、動物を失神させるための家畜銃を指向する。ハウジングロッドを交互に保持および解放するために掛止部がハウジング内に取り付けられる。掛止部はスタニングロッド長手方向軸から離間する側部に配置された固定掛止部枢軸とスタニングロッド長手方向軸に向かう側部に配置された固定掛止部支持部との間に枢動自在に取り付けられた本体部分を有する。掛止部支持部はハウジング先端部に向かって延びる末端部を有する。掛止部は本体部分からハウジング先端部に向かって延びかつ掛止部枢軸から遠位の端部分を有する。掛止部端部分は、掛止部本体が固定掛止部枢軸と固定掛止部支持部末端部の両者に接合してスタニングロッドが前方へ駆動されるのを阻止する、長手方向軸に向かう保持位置と、掛止部本体が固定掛止部枢軸と接合しかつ固定掛止部支持部末端部との接合を外れてスタニングロッドを前方へ駆動できる、スタニングロッド長手方向軸から離間する解放位置との間で移動自在である。掛止部ピストンが長手方向軸から離れた側部に掛止部端部分に隣接して配設される。掛止部ピストンは掛止部端部分に隣接して掛止部と摺動自在に接合する。掛止部ピストンは、保持位置のスタニングロッド長手方向軸に向かって掛止部端部分を押し進め、それにより、スタニングロッドを保持して前方へ駆動されるのを阻止する第１位置と、スタニングロッドを解放して前方へ駆動できるようにスタニングロッド長手方向軸から離れた解放位置へ掛止部端部分を移動できる第２位置との間で長手方向軸の方向へ摺動するように適合される。掛止部ピストンを第１位置から第２位置へ移動させ、それにより、動物を失神させるようにスタニングロッドを長手方向軸に沿って前方へ駆動するようにバルブが空気の流れを制御できる。
【００５１】
関連した観点において、本発明は、先端部を有するハウジングと、ハウジングの先端部に向かって長手方向軸に沿って前方へ駆動できるハウジング内のスタニングロッドとを有する家畜銃を準備することを含む、動物を失神させる方法を指向する。家畜銃はスタニングロッドを交互に保持および解放するためにハウジング内に取り付けられた掛止部を含む。掛止部はスタニングロッド長手方向軸から離れる側部に配設される固定掛止部枢軸とスタニングロッド長手方向軸に向かう側部に配設される固定掛止部支持部との間に枢動自在に取り付けられた本体部分を有する。掛止部支持部はハウジング先端部に向かって延びる末端部を有する。掛止部は本体部分からハウジング先端部に向かって延びそして掛止部枢軸から遠位の端部分を有する。掛止部端部分は長手方向軸に向かう保持位置と、スタニングロッド長手方向軸から離れた解放位置との間で移動自在である。家畜銃はまた長手方向軸から離れた側部に掛止部端部分に隣接して配設された掛止部ピストンを含む。掛止部ピストンは掛止部端部分に隣接して掛止部と摺動自在に接合する。掛止部ピストンはハウジング先端部に向かう位置と離れる位置との間で長手方向軸の方向へ活動するように適合され、そして掛止部ピストンを第１位置から第２位置へ移動させるようにバルブが空気の流れを制御できる。本方法は、掛止部端部分をスタニングロッド長手方向軸に向かって保持位置に押し進める、ハウジング先端部から離れた長手方向軸に沿った第１位置に掛止部ピストンを配置することを含む。掛止部本体は固定掛止部枢軸と固定掛止部支持部末端部に共に接合され、それにより、スタニングロッドを保持して前方に駆動されるのを阻止する。掛止部ピストンは掛止部端部分に隣接して掛止部を摺動自在に接合する。本方法はさらに、空気の流れがハウジング先端部に向かって第１位置から第２位置へ長手方向軸に沿って掛止部ピストンを移動させるようにバルブを操作することを含み、そこにおいて、掛止部本体は固定掛止部枢軸と接合しそして固定掛止部支持部末端部との接合を外れる。第２位置は、動物を失神させるようにスタニングロッドを解放して長手方向軸に沿って前方へ駆動できる、長手方向軸から離れた解放位置に掛止部端部分が移動するのを許容する。
【００５２】
本方法はさらに、動物を失神させた後、スタニングロッドが第１位置に戻ることを許容することを含むこともでき、そこにおいて、掛止部ピストンは長手方向軸に沿ってハウジング先端部から離れて位置される。掛止部ピストンは保持位置のスタニングロッド長手方向軸に向かって掛止部端部分を押し進め、掛止部本体は固定掛止部支持部末端部と接合し、それにより、バルブが操作されるまで、スタニングロッドを保持して前方に駆動されるのを阻止する。
【００５３】
掛止部枢軸は掛止部枢軸本体の端部から内方へ延びる縁部を含んでもよく、そして掛止部本体は長手方向軸から離れて外方へ延びるフランジを含むこともできる。掛止部本体フランジは、掛止部本体が固定掛止部支持部末端部と接合および非接合状態にそれぞれ移動する間、掛止部が保持および解放位置間で枢動できるように内方へ延びる掛止部枢軸縁部に係合する。
【００５４】
掛止部枢軸は長手方向軸の回りに延びるリングを含むこともでき、そして固定掛止部支持部末端部は長手方向軸の回りに延びる円形であってもよい。複数の掛止部を長手方向軸の回りに配列してもよく、各掛止部は長手方向軸の回りに弧状に湾曲された本体部分を有する。掛止部は、掛止部本体は固定掛止部支持部末端部とそれぞれ接合および非接合状態へ移動する間、掛止部枢軸リングで保持および解放位置間を枢動する。
【００５５】
さらに別の観点において、本発明は、先端部を有するハウジングと、ハウジングの先端部に向かって長手方向軸に沿って前方へ駆動できるハウジング内のスタニングロッドとを含む、動物を失神させるための家畜銃を提供する。スタニングロッドを交互に保持および解放するためにハウジング内に掛止部が取り付けられる。掛止部は、スタニングロッド長手方向軸から離れた側部に配設された固定掛止部枢軸と、スタニングロッド長手方向軸に向かう側部に配設された固定掛止部支持部との間で枢動自在に取り付けられた本体部分を有する。掛止部支持部はハウジング先端部に向かって延びる末端部と、掛止部支持部末端部に隣接した弾性部材とを有する。掛止部は本体部分からハウジング先端部に向かって延びかつ掛止部枢軸から遠位にある端部分を有する。掛止部端部分は、スタニングロッドが前方へ駆動されるのを阻止する、長手方向軸に向かう保持位置と、弾性部材によって補助される、スタニングロッドを前方へ駆動できるスタニングロッド長手方向軸から離れた解放位置との間で移動自在である。長手方向軸から離れた側部に掛止部ピストンが掛止部端部分に隣接して配設される。掛止部ピストンは掛止部端部分に隣接して掛止部に摺動自在に接合される。掛止部ピストンは、掛止部端部分をスタニングロッド長手方向軸に向かって保持位置に押し進め、それにより、スタニングロッドを保持して前方へ駆動されるのを阻止する第１位置と、弾性部材によって補助される、スタニングロッドを解放して前方へ駆動できる、スタニングロッド長手方向軸から離れた解放位置へ掛止部端部分を移動できる第２位置との間で長手方向軸の方向に摺動するように適合される。掛止部ピストンを第１位置から第２位置へ移動させ、それにより、動物を失神させるようにスタニングロッドを長手方向軸に沿って前方に駆動するようにバルブが空気の流れを制御できる。
【００５６】
本発明の別の観点は、動物を失神させるための家畜銃に長手方向軸に沿って移動自在なスタニングロッドを捕獲および解放するために掛止部枢軸リングと係脱自在な掛止部枢軸を有する掛止部を提供する。掛止部は実質的に円筒形を形成する複数の弧状部分を含み、各弧状部分は前方端部と後方端部とを有する。掛止部は長手方向軸に向かう内壁部と長手方向軸から離れる外壁部とを含む。掛止部は、外壁部からから直接外方へかつ長手方向軸から離れて延びる弧状部分の後方端部のフランジと、内壁部から内方へかつ長手方向軸に向かって延びる弧状部分の前方端部の縁部とを含む。弧状部分フランジの各々は、その回りで弧状部分が枢動できる掛止部枢軸リングの内方縁部と係脱自在である。弧状部分は、弧状部分縁部が相互に近接する閉鎖位置から、弧状部分が掛止部枢軸リング内方縁部の回りに閉鎖位置から枢動するときに弧状部分縁部が長手方向軸から外方へ伸延される開放位置へ枢動自在である。掛止部は家畜銃の掛止部ピストンと係脱自在であり得、そこにおいて、各弧状部分前方端部は、弧状部分縁部がスタニングロッドに係合し、スタニングロッドが前方方向へ駆動されるのを阻止する、長手方向軸に向かう保持位置へ掛止部ピストンにより移動自在である。各弧状部分の外壁部は、外方へ延びるフランジに隣接して後方端部に実質的に直線部分を有していてもよく、外壁部の実質的直線部分は掛止部枢軸リング内方縁部に接合する。弧状部分は、弧状部分の後方端部の内壁部に沿って内部傾斜部を含むこともできる。
【００５７】
本発明の別の観点は、動物を失神させるための家畜銃の長手方向軸に沿って移動自在なスタニングロッドを捕獲および解放するための、掛止部枢軸リングに係脱自在な掛止部を提供する。掛止部は実質的に円筒形を形成する複数のクォーターシリンダを含み、クォーターシリンダの各々は前方端部と後方端部とを有する。掛止部はクォーターシリンダの後方端部から外方へ延びるフランジをクォーターシリンダの後方端部に含み、クォーターシリンダはフランジに隣接して実質的直線部分を有する。掛止部はクォーターシリンダの前方端部から内方に延びる縁部を含む。フランジは掛止部枢軸リングの内方縁部と係脱自在であり、掛止部枢軸リング内方縁部に接合する実質的直線部分の内方縁部の回りで枢動できる。クォーターシリンダは、フランジが相互に近接する閉鎖位置から、クォーターシリンダが閉鎖位置から掛止部枢軸リング内方縁部の回りで枢動するとき、フランジが長手方向軸から外方へ延びる開放位置へ枢動自在である。弧状部分の各々は、弧状部分の後方端部の内方壁に沿って内部傾斜部を含んでいてもよい。
【００５８】
さらに別の関連した観点において、本発明は、前方端部を有するハウジングと、ハウジングの前方端部に向かって長手方向軸に沿って前方へ駆動できるハウジング内のスタニングロッドとを有する家畜銃を準備することを含む、動物を失神させる方法を提供する。家畜銃は、スタニングロッドを交互に保持および解放するためにハウジング内に取り付けられた掛止部を含む。掛止部は、スタニングロッド長手方向軸から離れた側部に配設される固定掛止部枢軸とスタニングロッド長手方向軸に向かう側部に配設される固定掛止部支持部との間に枢動自在に取り付けられる本体部分を有する。掛止部支持部はハウジング前方端部に向かって延びる末端部と掛止部支持部末端部に隣接する弾性部材とを有する。掛止部は本体部分からハウジング前方端部に向かいかつ掛止部枢軸から遠位へ延びる端部分を有する。掛止部端部分は長手方向軸に向かう保持位置とスタニングロッド長手方向軸から離れる解放位置との間で移動自在である。家畜銃はまた、長手方向軸から離れる側部の掛止部端部分に隣接して配設された掛止部ピストンを含む。掛止部ピストンは掛止部端部分に隣接して掛止部と摺動自在に接合する。掛止部ピストンはハウジング先端部に向かう位置と離れる位置との間で摺動するように適合される。家畜銃はさらに、掛止部ピストンを第１位置から第２位置へ移動させるように空気の流れを制御できるバルブを含む。本方法は、保持位置のスタニングロッド長手方向軸に向かって掛止部端部分を推し進めるハウジング先端部分から離れた長手方向軸に沿った第１位置に掛止部ピストンを配置することを含み、それにより、スタニングロッドを保持して前方へ駆動されるのを阻止する。掛止部ピストンは掛止部端部分に隣接した掛止部と摺動自在に接合する。本方法はまた、空気の流れが掛止部ピストンを第１位置からハウジング先端部に向かう第２位置へ長手方向軸に沿って移動させるようにバルブを作動することを含む。第２位置は、弾性部材の助力により、長手方向軸から離れた解放位置へ掛止部端部分が移動するのを許容し、動物を失神させるようにスタニングロッドが解放されて長手方向軸に沿って前方へ駆動されるのを許容する。
【００５９】
本方法は、動物を失神させた後、掛止部ピストンがハウジング先端部から離れて長手方向軸に沿って位置される第１位置へスタニングロッドが戻ることをさらに含むこともできる。掛止部ピストンは掛止部端部分をスタニングロッド長手方向軸に向かって保持位置に推し進めそして掛止部本体は固定掛止部支持部末端部と接合し、それにより、バルブが作動されるまでスタニングロッドを保持して前方へ駆動されるのを阻止する。
【００６０】
掛止部枢軸は掛止部枢軸本体の端部から内方へ延びる縁部を含んでいてもよく、掛止部本体は長手方向軸から離れて外方へ延びるフランジを含むこともできる。掛止部本体フランジは、掛止部本体が固定掛止部支持部末端部に接合および非接合状態に動く間、それぞれ、掛止部が保持および解放位置間を枢動できるように内方に延びる掛止部枢軸縁部に係合し得る。
【００６１】
掛止部枢軸は長手方向軸の回りに伸びるリングを含むこともでき、固定掛止部支持部末端部は長手方向軸の回りに伸びる円形状であり得る。各々が長手方向軸の回りに弧状に湾曲された本体部分を有する、長手方向軸の回りに配列された複数の掛止部であってもよい。掛止部は、掛止部本体が固定掛止部支持部末端部と接合および非接合状態移動する間、それぞれ、掛止部枢軸リングで保持および解放位置間を枢動する。
【００６２】
さらに別の観点において、本発明は、家畜銃で使用されるスタニングロッドを指向する。ロッドは家畜銃の内方チャンバ内で移動自在なピストンに着脱自在であり、そして内方チャンバはスタニングロッドを交互に保持および解放するための掛止部を含む。スタニングロッドは長手方向軸を有する細長い本体を含む。スタニングロッド細長本体は前方端部と対向する後方端部とを有し、前方端部は動物の頭部を打撃（例えば、貫入）するように寸法付けられそして攻撃するのに適した硬化チップである。対向するスタニングロッドの後方端部は掛止部との係合に適した外方に延びる縁部を有する。前方および後方端部間の取付け部分は、フランジに対してピストンを摺動自在に受容できるように外方に延びるフランジを有する。取付け部分と前方端部との間のスタニングロッドは、第１半径および第１幅を有する第１対の対向側部と、第２半径および第２幅を有する第２対の対向側部とを有する。第２対の対向側部の半径は第１対の対向側部の半径と異なり、第１対の対向側部間の第１幅は第２対の対向側部間の第２幅より小さい。スタニングロッドは、動物を失神させるように、長手方向軸に沿って家畜銃内方チャンバ内へ前方に駆動できる。また、掛止部によってスタニングロッドを引き戻して保持するように長手方向軸に沿って後方へ駆動できる。
【００６３】
スタニングロッドの第１対の対向側部の半径は約０．５０〜０．７０インチ（１．２７〜１．７８cm）からであってもよく、第２対の対向側部の半径は約０．２５〜０．４５インチ（１０．６４〜１．１４cm）からであってもよい。第１対の対向側部間の幅は約０．４１５〜０．６２５インチ（１．０７９５〜１．５８７５cm）からであってもよく、第２対の対向側部間の幅は約０．６５〜０．８５インチ（１．６５〜２．１６cm）からであってもよい。
【００６４】
スタニングロッドはさらに外方伸延フランジに隣接した取付け部分にピストンを含む。ピストンは取付け部分に摺動自在に取り付けられてもよく、スタニングロッドの細長本体と一体であってもよい。スタニングロッドはさらに掛止部と係合するために後方端部に外方へ延びる縁部を含むこともできる。外方伸延縁部は後方端部に摺動自在に取り付けることもでき、或いはスタニングロッドの細長本体と一体であってもよい。
【００６５】
さらに別の関連する観点において、本発明は、スタニングロッドを家畜銃に使用する方法を提供する。家畜銃は内方チャンバと、スタニングロッドを交互に保持および解放するための掛止部とを有する。スタニングロッドは長手方向軸を有する細長い本体を有し、細長い本体は動物の頭部を叩くように寸法付けられた前方端部を有し、対向する後方端部は掛止部に係合するための外方へ延びる縁部を有する。前方および後方端部間の取付け部分は、ピストンがフランジに対して摺動自在に受容できるように外方へ延びるフランジを有する。取付け部分と前方端部との間のスタニングロッドは、第１半径および第１幅を有する第１対の対向側部と、第２半径および第２幅を有する第２対の対向側部とを有する。第２対の対向側部の半径は第１対の対向側部の半径と異なり、第１対の対向側部間の第１幅は第２対の対向側部間の第２幅より小さい。
【００６６】
本方法は、家畜銃の内方チャンバ内で移動自在なピストンをスタニングロッドに用意することを含み得る。本方法はさらに、穴を有するハウジング突出部を家畜銃に用意することを含み得る。外方ハウジング突出部の穴はスタニングロッドの第１半径および第１直径並びに第２半径および第２直径よりも僅少大きく適合する。本方法は、次いで、家畜銃内方チャンバにスタニングロッドおよびピストンを取り付けることを含んでもよく、スタニングロッドは家畜銃ハウジング突出部の穴を通って延びる。本方法はさらに、ピストンを動かすように内方チャンバの後方端部に加圧流体を供給し、動物を失神させるためにスタニングロッドを前方へ駆動するように外方ハウジング突出部の穴を通って内方チャンバ内に長手方向軸に沿ってロッドを摺動することを含んでもよい。さらに本方法は、スタニングロッドを長手方向軸に沿って後方へ引き戻し、ロッドの後方端部で外方へ延びる縁部を有する掛止部と係合することによりスタニングロッドを内方チャンバ内に保持することを含むこともできる。ロッドは前述のように第１および第２の対向側部の半径を有し、長手方向軸の回りで回転運動することなしに内方チャンバ内に摺動することもできる。
【００６７】
さらに別の観点において、本発明は、動物を失神させるための家畜銃を指向する。家畜銃は、先端部を有するハウジングを有し、ハウジングの内方チャンバは前方端部および後方端部を有する。ピストンが内方チャンバ内で摺動自在である。ハウジング内のスタニングロッドは細長い本体を有する。スタニングロッドは、ピストンにより前方および後方へ駆動されて、ハウジングの先端部に向かったり離れたりできる。細長い本体は前方端部と対向する後方端部とを有する。前方端部は動物の頭部を叩くように寸法付けられ、対向する後方端部は掛止部と係合するために外方に延びる縁部を有する。少なくともその長さの部分に沿った細長い本体は第１半径および第１幅を有する第１対の対向側部と、第２半径および第２幅を有する第２対の対向側部とを有する。第２対の対向側部の半径は第１対の対向側部の半径と異なる。第１対の対向側部間の第１幅は第２対の対向側部間の第２幅よりも小さい。ロッドは、前述のように第１および第２対の対向側部の半径を有していてもよい。家畜銃は交互にスタニングロッドを保持および解放するちめの掛止部を有する。
【００６８】
新規と信ずる本発明の特色並びに本発明の特徴的構成要素は特に特許請求の範囲に記載されている。図は例示を目的とするだけのものであり、縮尺されたものではない。しかしながら、本発明自体は、機構および稼働方法と共に、添付図面と併せて以下に述べる詳細な説明を参照することで最も良好に理解されよう。
【図面の簡単な説明】
【００６９】
【図１】図１は、保持位置にある従来の家畜銃掛止システムの断面図である。
【図２】図２は、解放位置にある従来の家畜銃掛止システムの断面図である。
【図３】図３は、保持位置の掛止部と、中立位置のバルブと、射出前の加圧された空気供給部とを有する本発明による家畜銃の断面側面図である。
【図４】図４は、本発明による、解放位置の掛止部、射出位置のバルブを有する図３の家畜銃の断面側面図である。
【図５】図５は、本発明による、最終工程位置のスタニングロッドを有する図３の家畜銃の断面側面図である。
【図６】図６は、本発明による、スタニングロッドを戻すように蓄積位置にある主バルブの空気を有する図３の家畜銃の断面側面図である。
【図７】図７は、図３の保持位置で示される家畜銃掛止システムの拡大断面図である。
【図８】図８は、図４の解放位置で示される家畜銃掛止システムの拡大断面図である。
【図９】図９は、本発明によるスタニングロッドの一例の斜視図である。
【図１０】図１０は、図９のスタニングロッドの一例の断面図である。
【図１１】図１１は、本発明による掛止部ピストンの斜視図である。
【図１２】図１２は、図１１に示す掛止部ピストンの側面図である。
【図１３】図１３は、図１１に示す掛止部ピストンの断面側面図である。
【図１４】図１４は、本発明による掛止部の側面図である。
【図１５】図１５は、図１４に示す掛止部の断面図である。
【図１６】図１６は、図１４に示す掛止部の斜視図である。
【図１７】図１７は、スタニングロッドの長手方向軸の回りに保持位置で配列された図１４に示す４つの掛止部の端面図である。
【図１８】図１８は、本発明による掛止部枢軸リングの平面図である。
【図１９】図１９は、図１８に示す掛止部枢軸リングの断面側面図である。
【図２０】図２０は、図１８に示す掛止部枢軸リングの斜視図である。
【図２１】図２１は、本発明による掛止部支持部の斜視図である。
【図２２】図２２は、図２１に示す掛止部支持部の平面図である。
【図２３】図２３は、図２１に示す掛止部支持部の側面図である。
【図２４】図２４は、図２１に示す掛止部支持部の断面側面図である。
【図２５】図２５は、図３〜６の線２５−２５に沿った内方および復帰空気チャンバを示す、図３〜６の家畜銃のハウジングの長手方向軸に垂直な部分断面図である。
【図２６】図２６は、後方ハンドルに補助的トリガのない、本発明の家畜銃の別の実施形態の斜視図である。
【図２７】図２７は、図２６の家畜銃のハンドルグリップの断面図である。
【図２８】図２８は、本発明の家畜銃の主ハンドルと主バルブ本体との間に用いられるマウントの実施形態の斜視図である。
【図２９】図２９は、図２８のハンドルマウントの分解斜視図である。
【図３０】図３０は、抗衝撃部材を示す、図２８のマウントの断面図である。
【図３１】図３１は、主ハンドルとトリガの異なった固定位置付けを示す、本発明の家畜銃の主ハンドルおよびマウントの実施形態の底面図である。
【図３２】図３２は、対向する側部の異なった半径および側部間の幅示す、本発明の互換的実施形態による、スタニングロッドの本体を通る断面図である。
【図３３】図３３は、図３２の家畜銃の正面図である。
【図３４】図３４は、本発明の互換的実施形態による、ピストンを有する図３２の家畜銃の正面図である。
【図３５】図３５は、図３４のスタニングロッドおよびピストンの背面側斜視図である。
【図３６】図３６は、図３４のスタニングロッドおよびピストンの正面側斜視図である。
【図３７】図３７は、共にネジによってロッドに取り付けられた硬化先端部および後方端部掛止部縁部を有する図３５のスタニングロッドの分解側面図である。
【図３８】図３８は、ネジ山付き端部棒を介して取り付けられた後方端部掛止部縁部を有する図３７のスタニングロッドの互換的実施形態の分解側面図である。
【図３９】図３９は、図３５のスタニングロッドおよびピストンの長手方向断面図である。
【図４０】図４０は、組み立てられた図３７のスタニングロッドの側面図である。
【図４１】図４１は、図３５のスタニングロッドおよびピストンの背面図である。
【図４２】図４２は、本発明の家畜銃の外方ハウジング突出部内に前方端部を有する、図３７のスタニングロッドおよびピストンの側面図である。
【図４３】図４３は、線Ａ−Ａに沿った、外方ハウジング突出部内の図４２のスタニングロッドの正面の断面図である。
【図４４】図４４は、図３２〜４３のスタニングロッドの互換的実施形態の断面側面図である。
【図４５】図４５は、図４４の互換的実施形態のスタニングロッドの斜視図である。
【図４６】図４６は、図３７の互換的実施形体のスタニングロッドの硬化先端部の平面図である。
【図４７】図４７は、図４６の硬化先端部の斜視図である。
【図４８】図４８は、図４６の硬化先端部の長手方向断面図である。
【図４９】図４９は、本発明の家畜銃の首ハンドルと主バルブ本体との間に用いられる図２８のハンドルマウントの互換的実施形態の平面側分解斜視図である。
【図５０】図５０は、図４９のハンドルマウント実施形態の分解正面図である。
【図５１】図５１は、図４９のハンドルマウント実施形体の底面側分解斜視図である。
【図５２】図５２は、図４９のハンドルマウント実施形体の平面側斜視図である。
【図５３】図５３は、図４９のハンドルマウント実施形体の平面図である。
【図５４】図５４は、図４９のハンドルマウント実施形体の底面側斜視図である。
【図５５】図５５は、図４９のハンドルマウント実施形体の底面図である。
【図５６】図５６は、図５７の線５６−５６に沿った、家畜銃に組み込まれる図４９のハンドルマウント実施形体の側面切欠図である。
【図５７】図５７は、図５７の線５６−５６に沿った、家畜銃に組み込まれる図４９のハンドルマウント実施形体の背面切欠図である。
【図５８】図５８は、図４９のハンドルマウント実施形体の抗衝撃部材の平面側斜視図である。
【図５９】図５９は、図５８の抗衝撃部材の底面側斜視図である。
【図６０】図６０は、図５８の抗衝撃部材の実施形態の平面側斜視図であって、抗衝撃部材の平面側および底面側平面はハンドルマウントが９０°以外の角度で家畜銃に組み込まれ得るように角度付けられる。
【図６１】図６１は、図６０の抗衝撃部材の底面側斜視図である。
【図６２】図６２は、図６０の抗衝撃部材を有する家畜銃に組み込まれる図４９のハンドルマウント実施形態の側面図である。
【図６３】図６３は、図６４の線６３−６３に沿った図６２のハンドルマウントおよび家畜銃組立体の切欠側面図である。
【図６４】図６４は、図６２のハンドルマウントおよび家畜銃組立体の底面側斜視図である。
【図６５】図６５は、図６２のハンドルマウントおよび家畜銃組立体の平面側斜視図である。
【図６６】図６６は、本発明の家畜銃の主ハンドルと主バルブ本体との間に用いられる図２８のハンドルマウントのさらに別の実施形態の平面側分解斜視図である。
【図６７】図６７は、図６６のハンドルマウント実施形態の分解背面図である。
【図６８】図６８は、図６６のハンドルマウント実施形態の底面側分解斜視図である。
【図６９】図６９は、図６６のハンドルマウント実施形態の背面側分解斜視図である。
【図７０】図７０は、図６６のハンドルマウント実施形態の平面図である。
【図７１】図７１は、図６６のハンドルマウント実施形態の定論側斜視図である。
【図７２】図７２は、図６６のハンドルマウント実施形態の底面図である。
【図７３】図７３は、家畜銃に組み込まれる図６６のハンドルマウント実施形態の側面図である。
【図７４】図７４は、図７５の線７４−７４に沿った家畜銃に組み込まれる図６６のハンドルマウント実施形態の切欠側面図である。
【図７５】図７５は、家畜銃に組み込まれる図６６のハンドルマウント実施形態の平面側斜視図である。
【図７６】図７６は、家畜銃に組み込まれる図６６のハンドルマウント実施形態の底面側斜視図である。
【図７７】図７７は、再配置可能なトリガおよび抗衝撃緩衝材を用いた、図２７の補助的ハンドルグリップの互換的実施形態の分解側面図である。
【図７８】図７８は、図７７の補助的ハンドル実施形態の分解平面図である。
【図７９】図７９は、下方に向けて位置されたトリガを有する図７７の補助的ハンドル実施形態の側面図である。
【図８０】図８０は、上方に向けて位置されたトリガを有する図７７の補助的ハンドル実施形態の側面図である。
【図８１】図８１は、キー溝を可視にするためにバルブを取り除きそしてハンドルを取り出し、それ故にハンドルの回転を許容する、図７７の補助的ハンドルの実施形態の側面図である。
【図８２】図８２は、家畜銃のための補助的ハンドルの実施形態に用いられる端部キャップ平面側斜視図である。
【図８３】図８３は、図８２の端部キャップの底面側斜視図である。
【図８４】図８４は、家畜銃のための補助的ハンドルの実施形態に用いられる緩衝材の平面側斜視図である。
【図８５】図８５は、図８４の緩衝材の底面側斜視図である。
【図８６】図８６は、図８２の端部キャップおよび図８４の緩衝材を用いる家畜銃のための補助的ハンドルの実施形態の斜視図である。
【図８７】図８７は、主ハンドルおよび補助的ハンドルのための緩衝材マウントを使用する、本発明の家畜銃の実施形態の斜視図である。
【発明を実施するための形態】
【００７０】
本発明の実施形態の説明において、図面の図３〜８７における参照符号は本発明の同様な特徴に同様な参照符号が付されている。
【００７１】
典型的な家畜銃１０の構造および操作が総体的に図３〜８に示されている。家畜銃１０は、外方に延びる細長い中空ハウジング１２と、外方ハウジング突出部または先端部１４と、尾端部１６と、スタニングロッド４０と、スタニングロッド４０を保持および解放するための掛止部２０とを含む。掛止部を有する家畜銃の一部が図７および８に詳細に示されている。ここに述べる前方および後方の方向は家畜銃先端部１４に関するものであり、ここに述べる内方および外方の方向は長手方向軸４２に関するものである。Ｏリングシール６６によって囲周されたピストン４８が内方円筒形チャンバ１８０内で軸４２に沿って前方および後方に摺動し、そしてスタニングロッド４０を担持する。スタニングロッド４０の後方端部は、掛止部２０により交互に保持および解放される外方伸延縁部４６で終端し、そしてスタニングロッドの前方端部は、掛止部がスタニングロッド４６を解放したとき、動物の頭部に向かって駆動されるように頭部接触部１８を通って延びる。
【００７２】
家畜銃１０は、図示の例では圧縮空気などの加圧流体により作動され得る。図示のように囲周する内方チャンバ１８０の外方には、その中央部分および後方端部に隣接する環状円筒形の第１加圧または発射チャンバ１７０がある。圧縮空気は、主バルブ１６５の作動時に、ピストン４８の背後の内方チャンバ１８０の領域へ発射チャンバ１７０との間に自由かつ迅速に移動できる。図２５に示されるように、環状円筒形の第２加圧または復帰チャンバ１７５もまた内方チャンバ１８０に隣接し、そして図３〜６の例においてその中央部分および前方端部を図示のように囲周する。掛止部ピストンチャンバ１８８は、掛止部ピストンの回りに隣接して配置され、それ自身が掛止部２０を保持および解放する。チャンバ１７０、１７５、１８０および１８８は、後に詳述するように、図示の家畜銃を作動するように加圧され得る。
【００７３】
主ハンドル１３６の第１叉は主トリガ１４６は、スタニングロッドを発射するシーケンスを開始するように、主ハンドルバルブが加圧流体、ここでは圧縮空気を制御するように用いられる。安全性のため、図示の典型的家畜銃を作動するために、スタニングロッドののための掛止部機構が解放される前に対応しなければならい２つの追加的状況がある。工具の正面に配置された頭部接合始動装置１８は一撃を受けるように動物と接触されなければならず、そしてハウジン１２の後部に軸４２に垂直に取り付けられ得る補助的ハンドル１１０の第２または補助的トリガ１１４は手動でなければならない。これら３つのうちの１つだけを有する家畜銃を組み立てて作動することは可能であるが、少なくとも２つ、好ましくは３つすべてが安全ために用いられるべきである。
【００７４】
互換的に、補助的ハンドル１１０は、頂側（図８７）のように、ハウジング１２の側部から延びるブラケットアーム１２７を介してハウジング１２に固定され得る。ブラケットアーム１２７はハンドル取付けブラケット１２３を添えて固定する。ハンドル取付けブラケット１２３は、ハンドルブラケット２１２がハンドル取付けブラケット１２３の平坦面に隣接して配置されたとき、補助的ハンドルブラケット２１２の開口と整列する複数の開口を含む。補助的ハンドルブラケット２１２がハンドル取付けブラケット１２３に直接取り付けられる、図８７に示される構造の代わりに、１つまたはそれ以上の抗衝撃緩衝材を補助的ハンドルに設けてもよい。図７７および８２〜８６に示されるように、ハンドルボルト１２５がハンドル取付けブラケット１２３およびハンドルブラケット２１２の開口を通って延び、ボルト１２５にロックナット１２６が組み付けられて締め付けられた後に、これら２つのブラケットを互いに保持する。家畜銃を作動したときの衝撃吸収特性を与えるために、ハンドル緩衝材１２４ａ、１２４ｂをハンドル取付けブラケット１２３の一側または両側に配置してもよい。端部板１２２もまたハンドルボルト１２５によってハンドル取付けブラケット１２３の底面側に付けられ得る。各緩衝材１２４はゴムまたはその他の可撓性ポリマで作成することもでき、所望の厚さを有する長方形であるように示されている。各緩衝材１２４は平坦な面を有し、緩衝材１２４ａおよび１２４ｂの平坦な面はハンドル取付けブラケット１２３の対向側に対向して配置される。相互に対面する凹状側縁部を除いて正方形の複数の離間された突出部またはボスが各緩衝材１２４の対向面から延びる。本実施形態で示されるように、２つの完全な正方形のボスが中央部分に設けられ、２つの半分のボスが緩衝材の対向端部に設けられる。３つの開口１３０が隣接するボルト１２５のためのボス間に配置される。緩衝材１２４ａ、１２４ｂのこれらの完全および半分のボス１２９は、それぞれ、ハンドルブラケット１２２および端部板１２２の隣接する面の相補的に寸法付けられた開口１３１内に受容され、取付けブラケット１２３は、組み立てられたとき、緩衝材１２４ａ、１２４ｂ間に挟まれる。
【００７５】
補助的ハンドルシステム１１０’の実施形態は、図７８〜８１に示されるように、ハンドルを回転することにより補助的トリガ１１４の位置を手動で変えることができる。円筒形の補助的ハンドル２１０’は、その側部から延び、ハンドルブラケット２１２の外側のアーム２１２ａに取り付けられた補助的ハンドルバルブ１１２を作動するように押し下げられたときに枢動する。補助的ハンドル２１０’の対向する端部２１０ａ’および２１０ｂ’は、平行なブラケットアーム２１０ａおよび２１０ｂに固定される。ハンドル長手方向軸から外方へ放射方向に突出する複数の離間された軸方向キーを含むキー溝１２０がハンドル端部２１０ｂ’から軸方向に延び、このキー溝はハンドルシャフト（図７８）に機械加工または付着される。長手方向軸から外方へ放射方向に延びる離間された溝がブラケットアーム２１２ｂの穴に対応して形成され、それにより穴１２１はハンドル２１０’のキー溝１２０と結合する。キー溝１２０は、ハンドルブラケット２１２および家畜銃ハウジング１２に関して補助的ハンドル２１０’と補助的トリガ１１４との相対的位置を固定するキーと同様な機能を遂行する。互換的に、補助的ハンドルおよびブラケットの一方の対応する開口と結合する補助的ハンドルおよびブラケットの他方のいかなる突出部も使用され得る。補助的トリガ１１４の位置を調節するために、まず、典型的に、ワッシャ１１８およびアーム２１２ｂを通り、バルブ１１２およびアーム２１２ａを通って延びるボルトを外すようにアレンキーまたはネジ回しを用いることによって、バルブ１１２および補助的ハンドルワッシャ１１８が取付けブラケットアーム２１２ａ、２１２ｂの対向する外側縁部からそれぞれ取り外される（図７７および７８）。ワッシャ１１８およびバルブ１１２が補助的ハンドル２１０’から外されると、ハンドル端部２１０ａ’はブラケットアーム２１２ａ（図８１）の開口２１１（図７８）を通るその長手方向軸に沿って自由に摺動し得る。ハンドルシャフト２１０’をブラケットアーム２１２ｂから離れる方向へ摺動すると、キー溝１２０がブラケットアーム２１２ｂの穴１２１の溝から外される。ハンドルシャフト端部２１０ａ’は、ハンドルシャフト２１０’をブラケットアーム２１０ｂから離れる方向へ摺動したとき、ブラケットアーム２１２ａの内側縁部内からブラケットアーム２１２ａの外側縁部へと通過する。
【００７６】
ハンドル２１０’がブラケットアーム２１２ｂから引き出されそしてキー溝１２０が開口１２１から外されて露呈されると、ハンドルは、ブラケット２１２および家畜銃ハウジング１２に関して異なった位置にトリガ１１４を再配置するように長手方向軸に沿って時計方向または反時計方向に回転され得る。末端利用者は、トリガ１１４が家畜銃１０のハウジング１２に向かって内方へ（図７９）、またはハウジング１２から離れて外方へ（図８０）、或いはその他の所望の方向へ向くようにハンドルシャフトを調節し得る。トリガ１１４を所望の位置に位置するようにハンドル２１０’を回動した後、ハンドルキー溝１２０は、ブラケットアーム２１２ｂに向かう方向へハンドルシャフト２１０’を押すことにより、キー溝穴１２１の溝に再挿入されて再係合され得る。ブラケットアーム２１２ｂ、２１２ａの端部にワッシャ１１８およびバルブ１１２をそれぞれ再組立てすることは、ハンドル２１０’を適所に固定しそしてさらなる、いかなる回転運動をも阻止してトリガ１１４を所望の位置に維持する。
【００７７】
主トリガ１４６を用い、主ハンドルバルブ１４２を制御しそして頭部接触始動装置１８を用いる本発明の実施形態が図２６に示されている。この実施形態において、第２または補助的トリガは設けられておらず、代わりにグリップハンドル２１０がハウジング１２の後端部１６に配置される。グリップハンドル２１０は、図２７に示されるように、取付けブラケット２１２と、１対の取付けブラケットアーム２１２ａ、２１２ｂから内方へ延びる１対の連結ロッド２１３により固定される内方ハンドルバー２１４とを含む。ゴムまたはその他のポリマからなる可撓性マウント２１６は、その上に配設されたが右方ハンドル管２１８に緩衝性を与えるように内方バー２１４を囲周する。この実施形態において、作業者は、片手でグリップハンドル２１０を保持する一方、他方の手で主ハンドル１３６を保持し得る。主ハンドル１３６のトリガ１４６を押し下げて保持する間、作業者は動物の頭部に向けて発射するようにスタニングロッドを頭部接触始動装置１８を移動し得る。
【００７８】
図３は、保持位置の掛止部２０と、中立位置のバルブと、加圧されそして発射する前の空気供給源とを有する家畜銃１０を示す。空気ホース（図示なし）が主チャンババルブ本体１６６の供給ポート１４０に取り付けられ、主バルブ本体１６６は圧縮空気により加圧される。バルブ本体１６６内の主バルブ１６５は、バネ（図示なし）の圧力および空気通路１５８（供給ポート１４０に接続される）から主ハンドルバルブ１４２を介し、次いで通路１５６を介して案内される圧力により右方に配置される。この位置における主バルブスプール１６５は、通路１３５、１６２および１６４を介して発射チャンバ１７０並びにより小さな戻しチャンバ１７５を共により遅い充填率で同時に加圧する。スタニングロッドピストン４８はチャンバ１７０からピストンの背後への空気の流れによって完全に加圧され、そして、以下にさらに説明されるように、スタニングロッド縁部４６を保持する閉鎖掛止部２０アセンブリによって動きを留められる。主ハンドルバルブ１４２は中立位置にあり、まだ主トリガ１４６によって動かされいおらず、そしてバルブ１４２は下方へ加圧するバネ（図示なし）により展帳され、それにより、通路１８４を介する頭部接触部１８への空気通路は主ハンドルバルブ１４２を通って放出される。頭部接触部１８は前方（右方）に加圧するバネ（図示なし）により延ばされる。チャンバ１８８の掛止部ピストン５０の伸延側へのいかなる圧力も通路１９４を介して補助的ハンドル通気口１１６を通り放出され、通路１９２のいかなる空気圧も通路１８４を介して頭部接触通気口１９を通り放出される。スタニングロッドピストン４８下および背後の区域は主バルブ本体１６６を通って排気口１９０に放出される。家畜銃はこの位置では発射されず、そこにおいて主トリガ１４６、補助的トリガ１１４および頭部接触部１８は押し下げられない。
【００７９】
図４は、解放位置の掛止部２０、発射位置のバルブ１４２、１６５、１１２および１８を有する家畜銃を示す。発射シーケンスを開始するために、主ハンドルバルブ１４２は作業者が一方の手で主トリガ１４６を押し下げることにより開始され、頭部接触部１８は作業者が接触部を後方（左方）に動かすように動物の頭部に押し付けることにより開始され、補助的ハンドルバルブは作業者が他方の手で補助的トリガ１１４を押し下げることにより開始される。主ハンドルバルブが上方位置に移動したとき、主ハンドルバルブ１４２から主バルブスプール（バネ端部）への空気通路は通路を介して排気され、主ハンドルバルブ１４２から頭部接触部１８への空気通路は通路１８２を介して加圧される。圧縮空気はまた、補助的ハンドルバルブ１１２を通る頭部接触バルブ１８、通路１８４および通路１９２を通って流れた後に空気通１９４を介して掛止部ピストンシリンダチャンバ１８８に流れる。頭部接触部１８が押し下げられそして補助的ハンドルバルブ１１２が加圧された結果、掛止部ピストン２０はチャンバ１８８の圧縮空気により移動され、その限界まで前方（右方）に延びそして掛止部２０を開く。その結果、スタニングロッド４０は解放されて高速で前方（右方）へ移動される一方、チャンバ１８０下およびスタニングロッド４８の前方の空気は通路１９５および主バルブ本体１６６を通って排気口１９０から排出される。
【００８０】
図５は、全前方、ストローク端位置にあるスタニングロッド４０を有する家畜銃を示す。スタニングロッドストロークは、突出端ハウジング１４に隣接した内側の環状緩衝材４９により停止される。この位置において、スタニングロッドピストン密封部６６は、主バルブ逆流通路１９６への空気の流れを主バルブスプール１６５の底（右方）端部に許容する、チャンバ１８０のライナー１８１の小さな開孔１８３を越えて前方へ延びる。主バルブ１６５が加圧されたとき、スプールは、空気の流れをスタニングロッドピストン４８に逆走するように、バネの圧力に抗して上方（左方）への移動を開始する。
【００８１】
図６は、圧縮空気が逆転通路１９６（図５）から流れることによって主バルブ１６５の空気がスタニングロッドを引き戻すように逆走位置に移動された発射シーケンスの終わり近くの家畜銃を示す。主ハンドルバルブ１４２および補助的ハンドルバルブ１１２は共に押し下げられたままで作動されているが、頭部接触部１８は動物の頭から離され、それにより接触バルブ１８は前方（右方）位置に戻っている。主バルブ１６５逆転通路１９６は加圧されて主バルブスプールをバネの圧力に抗して上方（左方）へ移動させ、それにより、主バルブ本体の空気の流れは逆転される。このことが生じたとき、発射空気チャンバ１７０は主バルブ本体１６６を通って排出口１９０に排気され、そして空気の流れは、頭部接触部１８が解放されたとき、開いた補助的ハンドルバルブ１１２、つうろ１９２および１８４を通り掛止部ピストン５０チャンバ１８８から通路１９４を介して逆走され、頭部接触部１８ベント１９を通って外部へ逆走される。逆転チャンバ１７５からの直ちに使用可能な圧縮空気圧は、通路１６２（図６および２５）、主バルブ１６５および通路１９５を介してチャンバ１８０（図６）の前方（右方）端部に流れるように、加圧された空気を自由にかつ迅速に移動させる。発射チャンバ１７０に比べ、逆転チャンバ１７５は容量的により小さくかつより少ない加圧流体を含むものであるが、ピストン４８およびスタニングロッド４０を逆走するのに十分な空気を提供するように寸法付けられる。この逆転チャンバ１７５付近からの圧縮空気を使用することは、ピストンを戻す空気が供給口から内部通路を介して供給される従来方法と比較して空気の必要量を少なくする。ピストン復帰サイクルが始動すると同時に供給口を通して短時間の圧縮空気のより高い圧力噴出に依存する代わりに、本発明は、発射チャンバが加圧されると同時に、作動サイクル間に使用可能なより長い時間中、圧縮されたピストン復帰空気を予め供給する。このことは、供給口１４０に用いられる所望の寸法の制限口を許容し、それにより家畜銃によって使用される総空気量を節約する。
【００８２】
チャンバ１８０前方端部の圧縮空気は、ピストン４８が掛止部ピストン５０の前方端部５１に接触するまで、図６に示されるようにスタニングロッド４０を後方（左方）に引き戻す。ピストンが衝突した結果として、掛止部ピストン５０は掛止部シリンダ１８８内へ後方（左方）に戻され、スタニングロッド縁部４６を捕らえるように内方へ押し進めることにより掛止部２０を閉じ、それにより、図３に示されるように、スタニングロッド４０は掛止部４０によって保持される。
【００８３】
主トリガ１４６が解放されて非押し下げ位置にある（図３）ことの結果として、主ハンドルバルブ１４２が中立状態に戻されたとき、主バルブスプール（バネ端部）への空気通路は再び加圧され、バルブ１６５を元の場所に移す。発射チャンバ１７０および戻しチャンバ１７５は共に再び加圧され、突出部への通路はベント１９を介して排気され、補助的ハンドルバルブ１１２は補助的トリガ１１４が解放された結果として中立に戻され、いかなる圧力も補助的ハンドルバルブ１１２の便と１１６を通って放出され、それにより、掛止部ピストン５０への空気通路は安全性のために二様に放出され、そして発射シーケンスが再び開始されるまで再び発射することはない。発射シーケンスの指令は性能に影響することはなく、両トリガ１４６、１１４および頭部接触部１８は本実施形態において発射が生じる前のいかなる指令にも作動されねばならない。
【００８４】
主バルブ本体１６６に直接固着された主ハンドル１３６が図３〜６示されている。スタニングロッドの発射によるいかなる衝撃をも軽減し、それ故、作業者の負傷を減少し、作業者の快適さを増強する緩衝材を提供するように、主ハンドル１３６のための緩衝材マウントを用意され得る。ハウジング１２の下方端部で主ハンドル１３６と主バルブ本体１６６との間に挿着するためのこのようなマウント２２０が図２８〜３０に示される。緩衝材マウント２２０は、ハウジング１２の下方側に結合または固着された第１または上方部分２２２と、主ハンドル１３６の上方端部に結合または固着された第２または下方部分２２６とを含む。上方部分２２２は、主バルブ本体１６６の下方端部から開口する（図３〜６）通路１５６、１５８、１６０と上方面２２２ａでそれぞれ接続する通路１５６ａ、１５８ａ、１６０ａを含む。通路１５６ａ、１５８ａ、１６０ａは上方部分２２２を通って側面２２２ｂで接続具２２４ａ、２２４ｂ、２２４ｃとそれぞれ結合する。下方部分２２６通路１５６ｂ、１５８ｂ、１６０ｂが主ハンドル１３６の上方端部から開口する（図３〜６）通路１５６、１５８、１６０と下方面２２６ａでそれぞれ接続する。通路１５６ｂ、１５８ｂ、１６０ｂは下方部分２２６を通って側面２２６ｂで接続具２２８ａ、２２８ｂ、２２８ｃとそれぞれ結合する。ホースまたはチューブ２３４ａ、２３４ｂ、２３４ｃが接続具２２４ａ、２２４ｂ、２２４ｃを接続具２２８ａ、２２８ｂ、２２８ｃとそれぞれ結合する。
【００８５】
マウント上方部分２２２と下方部分２２６との間には、ゴムクッション材やその他の可撓性ポリマで作成される１対の抗衝撃部材２３０ａ、２３０ｂが設けられる。抗衝撃部材２３０ａ、２３０ｂは、上方部分２２２から下方へ延びる中央フランジ２２２ｃと、下方部分２２６から上方へ延びる１対の側部フランジ２２６ｃ、２２６ｄとの間でいずれかの側に配設される細長いブロック形状（すなわち、平行六面体）またはその他の形状であり得る。１つ以上の留め具、ここでは３本のボルトとして示される、は、側部フランジ２２６ｃ、抗衝撃部材２３０ａ、中央フランジ２２２ｃ、抗衝撃部材２３０ｂおよび側部フランジ２２６ｄの対応して拙劣された開口を通り抜ける、長手方向軸４２と同じ方向または垂直に伸び得る。部材２３０ａ、２３０ｂの主要面はハウジング１２の長手方向軸４２と平行な面に含まれる。留め具を除き、抗衝撃部材２３０ａ、２３０ｂはマウント上方部分２２２をマウント下方部分２２６から完全に分離し、家畜銃１０の本体から主ハンドル１３６に伝達される振動および衝撃を吸収する。
【００８６】
抗衝撃部材付きまたはなしに、マウント２２０は、図面に示される従来のものとは異なった向きで主ハンドル１３６および／または主バルブ本体１６６に結合する、そこにおいてトリガ１４６機構部分は家畜銃ハウジング１２の長手方向軸４と整合される、ように、通路１５６ａ、１５８ａ、１６０ａおよび／または通路１５６ｂ、１５８ｂ、１６０ｂと異なったパターンで設けられ得る。図３１に示されるように、このことはハンドル１３６およびトリガ１４６機構部分が異なった固定位置に取り付けられ、家畜銃長手方向軸４２の向き以外の向き、例えば、軸４２に９０°の方向のハンドル１３６’およびトリガ１４６’機構部分を有する、に整合され得る。異なった主ハンドルの向きは、例えば、トリガを有するバルブの機械的起動の代わりに空気圧式起動により、工場操業または作業者の快適さにおいて異なったレイアウトを適合し得る。
【００８７】
ハウジング１２の下方端部で主ハンドル１３６と主バルブ本体１６６の間に挿入するための、マウント２２０’の互換的実施形態が図４９〜６５に示される。反転して示されるこのマウント実施形態２２０’は、ハウジング１２の下方側に結合または固着される第１または上方部分２２２と、主バンドル１３６の上方端部に結合または固着される第２または下方部分２２６とを有する。上方マウント部分２２２は、通路１５６、１５８、１６０とそれぞれ接続し、主バルブ本体１６６の下方端部から開口する通路１５６ａ、１５８ａ、１６０ａを有する（図３〜６）。
下方マウント部分２２６には、通路１５６ｂ、１５８ｂ、１６０ｂが通路１５６、１５８、１６０とそれぞれ接続し（図５７）、主ハンドル１３６の上方端部から開口する（図３〜６）。このクッションマウント実施形態２２０’において、上方部分２２２通路１５６ａ、１５８ａ、１６０ａは、それぞれ、中央ピン２３６の通路１５６ｃ、１５８ｃ、１６０ｃを通って下方部分２２６通路１５６ｂ、１５８ｂ、１６０ｂに接続する（図４９、５６および５７）。
【００８８】
中央ピン２３６は、上方マウント部分２２２と下方マウント部分２２６とを互いに固定するように上方マウント部分２２２と下方マウント部分２２６との間に中心軸に沿って配設され、そしてマウント部分２２２、２２６間の枢動運動を許容する（図４９〜５１）。ピン２３６は上方マウント２２２の対向縁部の円筒形フランジ２２１の開口に回動自在に保持される。通路１５６ｃ、１５８ｃ、１６０ｃは中央ピン２３６の長さに沿って離間され、各通路はその端部で、ピン２３６および下方マウント２２６のＯリング２３８により、対応する上方および下方マウント通路に密封される（図５１）。このことは、加圧流体の流れを提供するように、マウント上方部分２２２、中央ピン２３６およびマウント下方部分２２６（図４９〜５１）を通過する各通路１５６、１５８、１６０のための気密シールを創出する。マウント上方部分２２２とマウント下方部分２２６との間には、図５８〜５９に示されているように、ゴムクッションまたは適当な可撓性ポリマで作成され得る１対の抗衝撃部材２３０ａ’、２３０ｂ’が設けられる。抗衝撃部材２３０ａ’、２３０ｂ’は、中央ピン２３６のいずれかの側に配設された細長いブロック（すなわち、平行六面体）の形状またはその他の適当な形状であり得る。各抗衝撃部材はさらに、各抗衝撃部材２３０ａ’、２３０ｂ’平坦面から延びる突出部またはボス２３３を介してクッションマウント２２０’に取り付けられる。このボス２３３は、クッションマウント下方部分２２６の内方平坦面に形成されたクッションマウント溝２３９にぴったりと適合するように寸法付けられる（図５１）。各抗衝撃部材２３０ａ’、２３０ｂ’は、側方平坦面から上方および下方へ延びる縁部２３１を備える。この縁部２３１は抗衝撃部材２３０ａ’、２３０ｂ’の３つの外方側面及び縁部に沿って頂面および底面の回りを実質的に包む。
【００８９】
クッションマウント２２０’の全組立ては、溝２３９に適合するボス２３３により抗衝撃部材２３０ａ’、２３０ｂ’をマウント下方部分２２６に固着し、次いで、マウント上方部分２２２を下方部分２２６の頂部およびクッションマウント２３０ａ’、２３０ｂ’に配置することを含む。クッションマウントは、上方および下方部分２２２、２２６の縁部が互いに平行であるために、等しい高さである。次いで、上方マウント部分２２２、抗衝撃部材２３０ａ’、２３０ｂ’および下方マウント部分２２６を互いに固着するように、中央ピン２３６が上方および下方部分２２２、２２６間に共通の中心軸に沿って配置される。ボルトまたは固着具２３２が下方マウント部分２２６に挿通されそして上方部分２２２の円筒形フランジ２２１のスロット２２３を通って垂直に延び、そしてマウント２２０’の共通の中心軸に沿って配設されるピン２３６の対向端部でネジ山付き開口２３５に固着される。下方マウント２２６は、ピン２３６の回りで上方および下方マウント部分間を枢動できるように円筒形フランジ２２３の外方凸状面に沿って摺動する凹状湾曲領域２２５を有する。
【００９０】
僅かなロッキング運動が、組立て後に、ピンのいずれかの側に抗衝撃部材２３０ａ’、２３０ｂ’を交互に膨張および圧縮することにより、上方および下方マウント部分２２２、２２６間のピン２３６の回りに許容される。各抗衝撃部材２３０ａ’、２３０ｂ’の１つの長手側および２つの短手側の縁部２３１は上方および下方マウント部分２２２、２２６の縁部に対して緊密に適合され、そして家畜銃の作動中に不必要な破片が通路およびマウント２２０’内部のその他の部品に入るのを防止することに役立つ。
【００９１】
クッションマウント２２０’の上方および下方部分２２２、２２６間の旋回運動結合は、各部材２３０ａ’、２３０ｂ’の頂部および底部側縁部が楔形形状を形造るように相互に関して角度付けられるように形成される抗衝撃部材２３０ａ’、２３０ｂ’を採用することにより、主ハンドル１３６の角度調節を許容する。図６０および６１に示されるように、楔形状の抗衝撃部材２３０ａ’、２３０ｂ’は組み込まれるように対向端部で異なった高さであり、上方面のボス２３３および３つの側部の周りの上方および下方に延びる縁部２３１を保持したまま、テーパ付き上方および下方面を有する。図６２〜６６は、上方および下方マウント部分２２２、２２６間を角度α（図６３）に形成された抗衝撃部材を示す。クッション２２０’にこの楔形抗衝撃部材２３０ａ’、２３０ｂ’を用いることは家畜銃ハウジングの下方端部の主ハンドル１３６およびバルブ本体１６６間にいかなる所望の角度での結合を許容する。
【００９２】
ハウジング１２の主ハンドル１３６およびバルブ本体１６６間に挿入するためのさらに別のクッション実施形態２２０”が図６６〜７６に示されている。本実施形態において、ゴムクッションまたは可撓性ポリマで作成された単一の抗衝撃部材２３０”が上方および下方マウント部分２２２、２２６間に配設される。前述の実施形態の分離形抗衝撃クッション２３０ａ、２３０ｂと同様な高さおよび構造を有するが、マウント２２０”の中央の共有中央部分により結合される抗衝撃部材２３０”の第１および第２部分はいずれかの端部に配設される。縁部２３１は実質的に抗衝撃部材２３０”の第１および第２部分の頂部および底部平坦面の外側縁部の回りに再び延び、家畜銃１０の作動中、マウント２２０”の内側に破片が集まるのを防止する。抗衝撃部材２３０”の第３部分が第１および第２部分間に配設されて結合し、通路１５６ａ、１５８ａ、１６０ａをマウント下方部分２２６の通路１５６ｂ、１５８ｂ、１６０ｂに接続するためにその中に形成された通路１５６ｃ’、１５８ｃ’、１６０ｃ’を含む（図６６〜６８）。完全な通路１５６、１５８、１６０がかくして形成されると、組み立てられたクッションマウント２２０”は主ハンドル１３６とバルブ本体１６６との間に組み込まれる（図７３〜７６）。
【００９３】
クッションマウント２２０”の組立て全体は、抗衝撃部材２３０”を上方および下方マウント部分２２２および２２６間に挿着することを含み、それにより、通路１５６ｃ’、１５８ｃ’、１６０ｃ’はマウント２２０”の共通の中心軸に沿って走行する。上方および下方マウント部分２２２、２２６の平坦な縁部は相互に平行に走行する。ピン２３６ａ、２３６ｂは、マウント上方部分２２２、抗衝撃部材２３０”およびマウント下方部分２２６を互いに固着するようにマウント組立体２２０”の対向側の下方および上方マウント部分の両者から延びるフランジ２２１’の開口に配設される（図６６〜７１）。各ピン２３６ａ、２３６ｂは、各ピン２３６ａ、２３６ｂの幅を通り下方マウント部分２２６のフランジボア２３７ｃに延びる留め具２３７ｂを受容するためにボア２３７ａを有するフランジを備える（図６６および７１）。留め具２３７ｂは、上方および下方マウント部分がマウント組立体２２０”の第１および第２クッション部分に対して枢動自在に遥動できるようにピン２３６ａ、２３６ｂを適所に固着する。前述の実施形態と同様に、抗衝撃部材２３０”の第１および第２部分は、図６０および６２に示されるような楔形状クッションに形成することもでき、それにより、主ハンドル１３６はハウジング１２に関して所望の角度で固着され得る。
【００９４】
本発明の家畜銃に有用なスタニングロッドの互換的実施形態が図３２〜４８に示されている。ここに表現される互換的実施形態のスタニングロッド４０’は前述のスタニングロッド４０の代わりに使用でき、ロッドの同等な部分に同様な符号が付けられるが、ダッシュを付されている。
【００９５】
４０’で示されるスタニングロッド実施形態は、長手方向軸４２’（図３９）に沿って延びる細長い本体４４’を有し、細長い本体４４’は前方端部３１０および対向する後方端部３１２を有する。本体４４’はその長さ全体または部分が中実（図３９）であるか或いはその長さ全体または部分が中空（図４４）である。前方端部３１０は細長い本体４４’から長手方向軸４０’と平行に外方に延びる縁部３１１を有する。前方端部３１０は動物の頭部を打撃する（例えば、貫入する）ためのスタニングロッド本体と同じ直径に寸法付けられる。互換的に、ロッド前方端部３１０は、失神させられる動物への貫入を防止するように十分に大きな直径に寸法付けられるか、アタッチメント（図示なし）を有し得る。図４６〜４８に示されるように、スタニングロッド４０’の前方端部に硬化先端部３３０をまた取り付け得る。対向する後方端部３１２は、他の箇所で述べられているように、掛止部２０と係合するための外方伸延縁部４６’に形成される（或いは、図３７、３８および４０に示されるように、別個の部品として受容される）。
【００９６】
図４４および４５に示されるように、スタニングロッド４０’はまた、細長い本体４４’に隣接して前方端部３１０と後方端部３１２との間に位置される取付け部分３１６を有する。取付け部分３１６はピストン４８’を受容するために円形輪郭形状を有し得る。取付け部分３１６は、図４４に示されるように、細長い本体４４’と垂直に放射方向外方へ延びるフランジ３１７を有する。図４１を参照すると、ピストン４８’は、共に平坦な前面および背面を有する円筒形本体を有する。ピストン４８’は、スタニングロッド４０’に固着された円形内方ボア５２’を有する。具体的には、内方ボア５２’の寸法は、また円形形状である取付け部分３１６の半径方向寸法に一致する。ピストン４８’は取付け部分３１６に軸方向に受容されて停止され、そしてフランジ３１７に対して固定される。
【００９７】
互換的に、ピストン４８’は、図３９に示されるように、１部品のロッド４０’と一体に形成され得る。細長い本体４４’はスタニングロッド４０’のピストン４８’部分に隣接した円形形状を有する。ピストン４８’に対面する側の前方端部３１０には、細長い本体４４’が半円形手段でフランジを付けられ、そこにおいてピストン４８’の前方に対面する面および細長い本体４４’は一体的に接合する。ピストン４８’に隣接する後方端部３１２は、掛止部を係合するために、単一型縁部４６’（図４０）でその中に受容されて一体に形成され得る。
【００９８】
図３２および３３を参照すると、ピストン４８’と前方端部３１０の間におけるスタニングロッド４０’の本体４４’の長さ全体または一部は、各々が第１半径Ｒ１および第１直径Ｄ１、並びにＹ軸方向のそれら間の幅Ｗ１を有する第１対の対向側部２６０と、各々が第２半径Ｒ２および第２直径Ｄ２１、並びにＸ軸方向のそれら間の幅Ｗ２を有する第２対の対向側部２７０とを有するように構成される。第１対の対向側部２６０の第１半径Ｒ１は第２対の対向側部２７０の第２半径Ｒ２と異なりかつそれより大きい。第１対の対向側部２６０の第１幅Ｗ１は第２対の対向側部２７０の第２幅Ｗ２と異なりかつそれより小さくてもよい。ロッド４０’は、さらに以下に説明する、家畜銃の突出部または突出部ガイドに共通の形状の開口内で家畜銃内を摺動する。第１半径Ｒ１は、約０．５００〜０．７００インチ（１．２７〜１．７７８cm）、例えば、０．６００インチ（１．５２cm）のような、いかなる好適な寸法であってもよく、第２半径Ｒ２は、約０．２５〜０．４５インチ（０．６３５〜１．１４cm）、例えば、０．３７５インチ（０．９５cm）のような、いかなる好適な寸法であってもよい。第１幅Ｗ１は、かくして、約０．４２５〜０．６２５インチ（１．０７９５〜１．５８７５cm）のような、いかなる好適な寸法であってもよく、第２１幅Ｗ２は、かくして、約０．６５〜０．８５インチ（１．６５１〜２．１５９cm）、例えば、０．７５０インチ（１．９cm）のような、いかなる好適な寸法であってもよい。その他の寸法および大きさも用いられ得る。
【００９９】
図４２〜４３を参照すると、外方ハウジング突出部１４’は、スタニングロッド４０’を取り囲み、スタニングロッドが通過する開口を有する突出部ガイド１８’を備える。外方ハウジング突出部ガイド１８’のボアは、スタニングロッド４０’の長手方向への摺動を許容するために、スタニングロッド４０’の半径Ｒ１、Ｒ２および幅Ｗ１、Ｗ２（図３２及び３３に示されるように）よりも僅少大きく適合する。前述したスタニングロッド４０の本体４４の円形断面と異なり、Ｘ軸およびＹ軸方向で異なる幅を有するロッド本体４４’の非円形形状は、家畜銃を発射する際に突出部ガイドおよびハウジング内でロッドが長手方向軸４２’の回りで回転運動するのを防止する。
【０１００】
スタニングロッド４０に関する掛止部２０の構造および作動は図７〜２４により詳細に示されている。図７〜１０は、長手方向軸４２を有する細長い本体４４を備えたスタニングロッド４０を示す。スタニングロッド縁部４６がスタニングロッド４０の一端部に配設される。図１１〜１３は、平滑な内側ボア５２と掛止部ピストンフランジ５４を有する掛止部ピストン５０を示す。スタニングロッド４０は、ハウジング１２内のピストン４８に軸方向に配設され、そして、前述のように、圧縮空気またはその他の加圧流体がチャンバに入ったとき、ハウジング１２の前方端部に向かって長手方向軸に沿って前方へ駆動できる。図示のスタニングロッド４０は動物の頭部を打撃（例えば、貫入）するように寸法付けられた前方端部を有するが、失神させられる動物への貫入を防止するように十分に大きな直径の前方端部を含むその他のスタニングロッド構造および様式を用いることもできる。図７〜２４に示される実施例４０の代わりに互換的実施形態のスタニングロッド４４’が用いられ得る。
【０１０１】
図１４〜１７は、内方に延びる縁部を有する掛止部端部分が前方端部に、外方へ延びる掛止部フランジ２４が後方端部付近にある、掛止部本体２２を有する掛止部２０を示す。掛止部２０は、スタニングロッド４０を交互に保持および解放するためにスタニングロッド長手方向軸４２の外側でハウジング１２内に取り付けられる。図３〜８に示される掛止部２０は、図１７にそれらの保持位置で示されるようにそして図面に描かれた例で用いられる、軸４２の回りに配列される４つのうちの２つの弧状掛止部である。４つより少ないまたは多い掛止部を用いることもできる。掛止部本体２２は掛止部枢軸または柱、ここでは掛止部本体の外側の回りに延びる掛止部枢軸リング６０の形体で示されている、に関して回動する（図７および８）。掛止部フランジ２４は、図１８〜２０に示されるように、軸４２から離れて外方へ延びそして掛止部枢軸リング６０の円筒形本体６４の端部から内方に延びる掛止部枢軸内方縁部６２と係脱自在である。
【０１０２】
図７および８に示されるように、掛止部本体部分２２は、軸４２から離れた側に配設された固定掛止部枢軸リング６０と、軸４２に向かう側に配設された固定掛止部支持部３０知の間で（共に、図２１〜２４参照）、内方縁部６２に枢動自在に取り付けられる。掛止部支持部３０は円筒形本体部分３６を有し、ハウジング１２の背後部分に隣接して配設された円形支持部ヘッド３４と、４つの弧状掛止部２０内に配設される円形係止部支持部末端部３２とを備える。選択的Ｏリング（後に詳述される）を受容するように、外側溝３３が端部３２に隣接して本体３６の外側の回りに配設される。掛止部本体部分２２はスタニングロッド長手方向軸４２から離れて掛止部支持部３０の外側に配設される。掛止部２０は本体部分２２からハウジング先端部１４に向かいそして掛止部支持部３０から末端に延びる端部分２６を備える。例示のものは長手方向軸４２の回りに配列された複数（４つ）の掛止部を用いているので、各掛止部２０は掛止部枢軸リング６０と掛止部支持部３０との間に構成されて保持され、それにより、それらの端部２６は相互にかつ軸４２から垂直に離れて伸延される。掛止部端部分２６は掛止部ピストン５０により長手方向軸に向かう保持位置に移動でき、そこにおいて、スタニングロッド縁部４６に係合して、スタニングロッド４０が前方へ駆動されるのを防止する。保持位置にあるとき、掛止部本体２２は固定掛止部枢軸リング６０と固定支持部末端部３２とに共に接合する。
【０１０３】
後述するように、掛止部ピストン５０が長手方向に前方へ移動されたとき（図８）、掛止部端部分２６における拘束は外され、端部分２６はスタニングロッド縁部４６から離れた解放位置へ外方に移動し、スタニングロッド長手方向軸４２はスタニングロッド４０が前方へ駆動されるのを許容する。掛止部端部分２６の外方への運動は、スタニングロッド４０が長手方向に前方へ移動するように、スタニングロッド縁部４６の前方位置と掛止部端部分２６の内方向き縁部の後方部分との間の角度または傾斜を摺動することにより発生される。掛止部端部分２６は選択的に、掛止部支持部３０の本体３６の回りを取り囲む、溝３３内の選択的な掛止部張力Ｏリングまたは弾性部材２８によって外方へバネ付勢されることで助力され得る。保持位置にあるとき（図７）、Ｏリングまたは弾性部材２８は掛止部本体２２により圧縮され、それにより、掛止部ピストン５０が前方へ移動するとき、部材２８は膨らみ、それにより、掛止部本体２２および端部２６を軸４２から離させ、そのときスタニングロッド４６の外方前方テーパ面への摩耗の軽減を助力する。この軸４２から離れた掛止部端部分解放位置において、掛止部本体２２は固体係止部枢軸リング６０と接合し、固定掛止部支持部末端部３２と接合しない。掛止部フランジ２４は掛止部枢軸リング内方縁部６２と係合され、掛止部枢軸リング内方縁部６２と掛止部支持部円筒形本体部分３６との間に掛止部フランジ２４を枢動自在に保持でき（図２１、２３、２４）、図８に示すように掛止部フランジの回りで掛止部２０が枢動できる。
【０１０４】
掛止部２０は内方掛止部端部２６と外方フランジ２４とを有する円筒形の弧状部分であってもよい。図１６に示される掛止部２０は図１７に示されるような９０°未満の円弧を有し、それにより、４つの掛止部２０は長手方向軸の回りに、かつ相互に邪魔することなしに掛止部枢軸リング内方縁部６２で回転するのに十分な掛止部２０間の空間を有する掛止部枢軸リング６０内に、円筒形状に配列される。４つの掛止部２０は掛止部支持部３０により相互に崩壊することから支持される。
【０１０５】
掛止部ピストン５０は、長手方向軸から離れる掛止部側部に掛止部端部分に隣接して配置される。掛止部ピストン５０は、掛止部端部分２６に隣接して掛止部２０と摺動接合しかつ掛止部本体部分２２との接合を外れる。掛止部ピストン５０は、掛止部端部分２６をスタニングロッド４６長手方向軸４２に向かって保持位置に推し進め、それによりスタニングロッド４０を保持して前方へ駆動されるのを阻止する、図３に示された第１後方位置と、掛止部端部分２６がスタニングロッド４６長手方向軸４２から離れて解放位置に移動でき、スタニングロッド４０を解放して前方へ駆動できる、図４に示された第２前方位置との間を長手方向軸４２の方向へ摺動するように適合される。
【０１０６】
図６に関連して上述されたように、発射シーケンスの終わりにピストン４８はチャンバ１８０内で方向を反転し、そして、図７に示されるように、掛止部ピストン５０の前方端部５１に衝突し、後方へ動かして掛止部２０を内方へ押し進めるように、後方へ移動する。閉鎖または係止位置において、掛止部端部分２６はスタニングロッド縁部４６と完全に係合し、スタニングロッド４０が前方へ動かされるのを制する。掛止部２０は掛止部ピストン内方ボア５２により完全に係合された位置に保持される。操業中、発射シーケンスが開始するとき、チャンバ１８８の空気圧は掛止部ピストン５０をハウジング前方端部１４に向かって前方（右方）へ動かす。図８に示されるように、内方ボア５２が掛止部端部分２６を過ぎて前方へ移動すると、掛止部２０は掛止部枢軸リング内方縁部６２の回りを枢動し、そこにおいて各掛止部端部分２６は円筒形の向きから外方へ移動し、掛止部端部分２６とスタニングロッド縁部４６とを離脱させる。離脱位置において、掛止部本体部分２２は掛止部ピストン５０または固定掛止部支持部末端部３２と接合しない。加圧空気の力はピストン４８を前方へ駆動しそしてスタニングロッド４０は圧縮空気またはその他の加圧流体の力でスタニングロッド長手方向軸４２に沿ってハウジング前方端部１４に向かって移動する。
【０１０７】
本発明は、それ故、次の利点を１つまたはそれ以上有する、改良された家畜銃を提供する。スタニングロッドは容易にかつ確実に回転することなしに摺動し、スタニングロッド解放システムは家畜銃の稼働を抑制する可動部品の摩耗を低減する。家畜銃は作動中の掛止部と掛止部ピストンとの間の動きにおける抗力を低減し、そして繰り返される作業の結果としての掛止部および掛止部ピストンの摩耗を低減される。スタニングロッドのための掛止部システムはより強くそして長期間の激しい稼働においてもより少ない交換で済み、かくして作業者の安全性および動物を失神させる有効性を改善する。本発明の家畜銃は、最初の加圧サイクル中に戻りチャンバにピストン戻し空気を予め供給できるので各失神サイクル間においてより少ない圧縮空気を使用する。加えて、ハンドルの設計、向きおよび取付けの改良は改善された使用者の快適さおよび負傷の可能性の低減を提供する。
【０１０８】
本発明は、特定の好適な実施形態に関連して特に説明されているが、当業者にとって上述の説明を参照して多くの置き換え、変形および変化を行えることは明らかである。それ故、添付の請求の範囲は、本発明の真なる範囲および主旨に入るいかなるこのような置き換え、変形および変化も包含するものであることを理解すべきである。
【図１】
2019522484.tif 000003
【図２】
2019522484.tif 000004
【図３】
2019522484.tif 000005
【図４】
2019522484.tif 000006
【図５】
2019522484.tif 000007
【図６】
2019522484.tif 000008
【図７】
2019522484.tif 000009
【図８】
2019522484.tif 000010
【図９】
2019522484.tif 000011
【図１０】
2019522484.tif 000012
【図１１】
2019522484.tif 000013
【図１２】
2019522484.tif 000014
【図１３】
2019522484.tif 000015
【図１４】
2019522484.tif 000016
【図１５】
2019522484.tif 000017
【図１６】
2019522484.tif 000018
【図１７】
2019522484.tif 000019
【図１８】
2019522484.tif 000020
【図１９】
2019522484.tif 000021
【図２０】
2019522484.tif 000022
【図２１】
2019522484.tif 000023
【図２２】
2019522484.tif 000024
【図２３】
2019522484.tif 000025
【図２４】
2019522484.tif 000026
【図２５】
2019522484.tif 000027
【図２６】
2019522484.tif 000028
【図２７】
2019522484.tif 000029
【図２８】
2019522484.tif 000030
【図２９】
2019522484.tif 000031
【図３０】
2019522484.tif 000032
【図３１】
2019522484.tif 000033
【図３２】
2019522484.tif 000034
【図３３】
2019522484.tif 000035
【図３４】
2019522484.tif 000036
【図３５】
2019522484.tif 000037
【図３６】
2019522484.tif 000038
【図３７】
2019522484.tif 000039
【図３８】
2019522484.tif 000040
【図３９】
2019522484.tif 000041
【図４０】
2019522484.tif 000042
【図４１】
2019522484.tif 000043
【図４２】
2019522484.tif 000044
【図４３】
2019522484.tif 000045
【図４４】
2019522484.tif 000046
【図４５】
2019522484.tif 000047
【図４６】
2019522484.tif 000048
【図４７】
2019522484.tif 000049
【図４８】
2019522484.tif 000050
【図４９】
2019522484.tif 000051
【図５０】
2019522484.tif 000052
【図５１】
2019522484.tif 000053
【図５２】
2019522484.tif 000054
【図５３】
2019522484.tif 000055
【図５４】
2019522484.tif 000056
【図５５】
2019522484.tif 000057
【図５６】
2019522484.tif 000058
【図５７】
2019522484.tif 000059
【図５８】
2019522484.tif 000060
【図５９】
2019522484.tif 000061
【図６０】
2019522484.tif 000062
【図６１】
2019522484.tif 000063
【図６２】
2019522484.tif 000064
【図６３】
2019522484.tif 000065
【図６４】
2019522484.tif 000066
【図６５】
2019522484.tif 000067
【図６６】
2019522484.tif 000068
【図６７】
2019522484.tif 000069
【図６８】
2019522484.tif 000070
【図６９】
2019522484.tif 000071
【図７０】
2019522484.tif 000072
【図７１】
2019522484.tif 000073
【図７２】
2019522484.tif 000074
【図７３】
2019522484.tif 000075
【図７４】
2019522484.tif 000076
【図７５】
2019522484.tif 000077
【図７６】
2019522484.tif 000078
【図７７】
2019522484.tif 000079
【図７８】
2019522484.tif 000080
【図７９】
2019522484.tif 000081
【図８０】
2019522484.tif 000082
【図８１】
2019522484.tif 000083
【図８２】
2019522484.tif 000084
【図８３】
2019522484.tif 000085
【図８４】
2019522484.tif 000086
【図８５】
2019522484.tif 000087
【図８６】
2019522484.tif 000088
【図８７】
2019522484.tif 000089
【国際調査報告】
2019522484.tif 000090
2019522484.tif 000091
2019522484.tif 000092
2019522484.tif 000093